(57)【要約】  チューブ状の部材（２０）と、チューブ状の部材（２０）の中に摺動可能に配置されたピストン（２２）と、ピストン（２２）に接続されたピストン・ロッド（２４）と、ポンプ（１８）を駆動するためにピストン・ロッド（２４）をモーター（３８）に取り外し可能におよび機能的に接続するためのカップリング・メカニズム（３６）と、を備え、ピストン・ロッド（２４）は、ポンプ（１８）の動作中に直線的に往復運動するように構成されている、医療用アスピレーター（１０）用の真空ポンプ（１８）。【選択図】  図２ａ
2018526183.tif 000002
【特許請求の範囲】
【請求項１】
−  チューブ状の部材（２０）と、
−  該チューブ状の部材（２０）の中に摺動可能に配置されたピストン（２２）と、
−  該ピストン（２２）に接続されたピストン・ロッド（２４）と、
−  前記ピストン・ロッド（２４）を、前記ポンプ（１８）を駆動するためのモーター（３８）に取り外し可能におよび機能的に接続するためのカップリング・メカニズム（３６）と、を備え、
前記ピストン・ロッド（２４）は、前記ポンプ（１８）の動作中に直線的に往復運動するように構成されている、医療用アスピレーター（１０）用の真空ポンプ（１８）。
【請求項２】
前記モーター（３８）の回転運動を前記ピストン・ロッド（２４）の前記直線的な往復運動に変換するように構成されている駆動メカニズム（４０）をさらに備え、
前記カップリング・メカニズム（３６）は、前記駆動メカニズム（４０）の上に設けられている、請求項１に記載の真空ポンプ（１８）。
【請求項３】
前記ポンプ（１８）を密閉するために前記ピストン・ロッド（２４）に固定された膜（４８）をさらに備える、請求項１または２に記載の真空ポンプ（１８）。
【請求項４】
−  チューブ状の部材（２０）と、
−  該チューブ状の部材（２０）の中に摺動可能に配置されたピストン（２２）と、
−  該ピストン（２２）に接続されたピストン・ロッド（２４）と、
−  前記ポンプ（１８）を密閉するために前記ピストン・ロッド（２４）に固定された膜（４８）と、を備え、
前記ピストン・ロッド（２４）は、前記ポンプ（１８）の動作中に直線的に往復運動するように構成されている、膜（４８）と、を備える、医療用アスピレーター（１０）用の真空ポンプ（１８）。
【請求項５】
−  真空ポンプ（１８）を駆動するためのモーター（３８）と、
−  少なくとも２つのバッテリー（６０）であって、それぞれのバッテリー（６０）は、駆動電流を前記モーター（３８）に供給するように構成されている、バッテリー（６０）と、
−  それぞれのバッテリー（６０）に関連付けられたリレー（６２）と、を備え、
それぞれの前記リレー（６２）は、メイン電源（５８）から電荷を受け入れる許容状態と、前記メイン電源（５８）からの前記電荷を受け入れない非許容状態との間で動作するように構成されている、リレー（６２）と、を備える、医療用アスピレーター（１０）用のモーター・ユニット（１２）。
【請求項６】
前記バッテリー（６０）の前記リレー（６２）は、互いからガルバニックに分離されている、請求項５に記載のモーター・ユニット（１２）。
【請求項７】
前記モーター（３８）に駆動電流を交互に供給する前記少なくとも２つのバッテリー（６０）を制御するように構成された制御ユニット（５２）をさらに備える、請求項５または６に記載のモーター・ユニット（１２）。
【請求項８】
前記制御ユニット（５２）は、現在前記モーター（３８）に駆動電流を供給している前記バッテリー（６０）の前記リレー（６２）が前記非許容状態をとり、１つまたは複数の残りのバッテリー（６０）それぞれの前記リレー（６２）は前記許容状態をとるように前記リレー（６２）を交互に制御するように構成され、前記モーター（３８）が決して前記メイン電源（５８）に電気的に接続されないようになっている、請求項７に記載のモーター・ユニット（１２）。
【請求項９】
請求項１から４のいずれか一項に記載の真空ポンプ（１８）、および／または、請求項５から８のいずれか一項に記載のモーター・ユニット（１２）を備える医療用アスピレーター（１０）。
【請求項１０】
−  第２のパーツに接続可能であるか、または、該第２のパーツと一緒に接合構造体を形成する、第１の使い捨てのパーツと、
−  前記第２のパーツとともに前記第１の使い捨てのパーツを使用している間に前記第２のパーツの周りに保護シールドを提供するように構成されると共に、前記使用が完了した後に、前記第１の使い捨てのパーツの周りに保護シールドを提供するために反転されるように構成されている、可撓性のエンクロージャー（６４）と、を備える、使い捨ての構成体。
【請求項１１】
前記可撓性のエンクロージャー（６４）は、プラスチック・バッグである、請求項１０に記載の使い捨ての構成体。
【請求項１２】
前記可撓性のエンクロージャー（６４）は、開条件において、前記可撓性のエンクロージャー（６４）が、前記第２のパーツを囲む状態から、前記第１の使い捨てのパーツを囲む状態へ反転可能な開閉可能な開口部（６６）を備え、
前記開閉可能な開口部（６６）は、閉条件において、それぞれ前記第２のパーツおよび前記第１の使い捨てのパーツの周りに、実質的に流体密封のシール部分を形成する、請求項１０または１１に記載の使い捨ての構成体。
【請求項１３】
前記開閉可能な開口部（６６）は、ジップ・ロックによって構成されている、請求項１２に記載の使い捨ての構成体。
【請求項１４】
−  前記第１の使い捨てのパーツは、医療用アスピレーター（１０）用の真空ポンプ（１８）を備えたポンプ・ユニット（１４）によって構成され、
−  前記第２のパーツは、前記医療用アスピレーター（１０）用のモーター（３８）を備えたモーター・ユニット（１２）によって構成され、前記真空ポンプ（１８）は、前記モーター（３８）によって駆動可能であり、
−  前記可撓性のエンクロージャー（６４）は、前記医療用アスピレーター（１０）の吸引動作中に前記モーター・ユニット（１２）の周りに細菌シールドを提供するように構成されると共に、前記医療用アスピレーター（１０）の前記吸引動作が完了した後に、前記ポンプ・ユニット（１４）の周りに細菌シールドを提供するために反転されるように構成されている、請求項１０から１３のいずれか一項に記載の使い捨ての構成体。
【請求項１５】
前記真空ポンプ（１８）は、膜（４８）を備え、
前記可撓性のエンクロージャー（６４）は、前記膜（４８）と一体的に形成されている、請求項１４に記載の使い捨ての構成体。
【請求項１６】
−  請求項１４または１５に記載の使い捨ての構成体と、
−  前記ポンプ・ユニット（１４）の前記真空ポンプ（１８）を駆動するためのモーター（３８）を備えるモーター・ユニット（１２）と、を備える、医療用アスピレーター（１０）。
【請求項１７】
前記ポンプ・ユニット（１４）は、前記モーター・ユニット（１２）に取り外し可能に接続可能である、請求項１６に記載の医療用アスピレーター（１０）。
【請求項１８】
−  少なくとも部分的に、紫外線光に対して透過性の材料によって構成されている、空気流をガイドするためのチャネル（２６）と、
−  前記チャネル（２６）の処理セクション（９２）中の前記空気流を紫外線光に露出させるように構成されている、前記チャネル（２６）に隣接配置された紫外線光源（５６）と、を備える、医療用アスピレーター（１０）の中の空気流などの、空気流中の感染性因子を非活性化させるための構成体（９０）。
【請求項１９】
前記処理セクション（９２）中の前記チャネル（２６）は、前記空気流を異なる方向に導くように構成された少なくとも２つのチャネル・セグメント（９４、９６）を備える、請求項１８に記載の構成体（９０）。
【請求項２０】
前記処理セクション（９２）中の前記チャネル（２６）は、渦巻き、コイル、またはらせんとして配置され、および／または、複数の実質的に平行なチャネル・セグメント（９４、９６）を備える、請求項１８または１９に記載の構成体（９０）。
【請求項２１】
請求項１８から２０のいずれか一項に記載の構成体（９０）を備える医療用アスピレーター（１０）。
【請求項２２】
医療用アスピレーター（１０）中のモーター（３８）により駆動される真空ポンプ（１８）によって生成される真空を制御するための方法であって、
該方法は、
−  前記生成された真空を検出するステップと、
−  前記検出された、生成された真空に基づいて、前記モーター（３８）に供給される前記駆動電流を制御するステップと、を備える、方法。
【請求項２３】
−  真空ポンプ（１８）と、
−  該真空ポンプ（１８）を駆動するように構成されたモーター（３８）と、
−  生成された真空を検出するための手段と、
−  請求項２２に記載の方法にしたがって前記モーター（３８）に供給される前記駆動電流を制御するように構成された制御ユニット（５２）と、を備える、医療用アスピレーター（１０）。
【請求項２４】
−  アスピレーション・ホース（４６）用の入口部（１０４）と、真空チャネル（２６）用の出口部（１０６）とを備えた第１の貯蔵部（１００）と、
−  第２の貯蔵部（１０２）と、
−  前記第１の貯蔵部（１００）中の流体（１１２）を前記第２の貯蔵部（１０２）に排出させるために、前記第１の貯蔵部（１００）の中に前記流体（１１２）を維持するように構成される閉位置から排出位置へと移動可能なパーティション部材（９８）と、を備える、医療用アスピレーター（１０）用の２ステージ式キャニスター（４２）。
【請求項２５】
前記第１の貯蔵部（１００）および前記第２の貯蔵部（１０２）のいずれもが、前記パーティション部材（９８）が前記排出位置にある状態で、前記２ステージ式キャニスター（４２）の動作中に、低減された圧力に耐えるように構成されている、請求項２４に記載の２ステージ式キャニスター（４２）。
【請求項２６】
前記第２の貯蔵部（１０２）は可撓性である、請求項２４に記載の２ステージ式キャニスター（４２）。
【請求項２７】
前記パーティション部材（９８）は、前記排出位置から前記閉位置へ移動可能である、請求項２４から２６のいずれか一項に記載の２ステージ式キャニスター（４２）。
【請求項２８】
前記パーティション部材（９８）は、前記パーティション部材（９８）が前記閉位置にあるときに、前記第２の貯蔵部（１０２）に対して前記第１の貯蔵部（１００）を密閉する閉鎖ピストン（１１０）を備える、請求項２４から２７のいずれか一項に記載の２ステージ式キャニスター（４２）。
【請求項２９】
前記パーティション部材（９８）は、前記閉鎖ピストン（１１０）に取り付けられたピストン・ロッド（１０８）を備え、
該ピストン・ロッド（１０８）は、前記第１の貯蔵部（１００）の外部を通って延在している、請求項２８に記載の２ステージ式キャニスター（４２）。
【請求項３０】
前記パーティション部材（９８）は、前記閉位置から前記排出位置への前記パーティション部材（９８）の移動の間に、前記第１の貯蔵部（１００）の中の前記流体（１１２）を前記第２の貯蔵部（１０２）へと押すための押圧ピストン（１１８）を備える、請求項２８または２９に記載の２ステージ式キャニスター（４２）。
【請求項３１】
請求項２４から３０のいずれか一項に記載の２ステージ式キャニスター（４２）を備える医療用アスピレーター（１０）。
【請求項３２】
−  上流セクション（１２４）と、
−  下流セクション（１２６）と、
−  開位置と遮断位置との間で切り替え可能なバルブ・メカニズム（１２０）と、を備え、
該バルブ・メカニズム（１２０）は、前記開位置では、前記吸引された流体を前記上流セクション（１２４）から前記下流セクション（１２６）に通過させるように構成され、前記遮断位置では、前記上流セクション（１２４）の中の前記吸引された流体が前記下流セクション（１２６）に進入することを阻止するように構成されている、バルブ・メカニズム（１２０）と、を備える、患者から医療用アスピレーター（１０）のキャニスター（４２）の中へ流体を吸引するためのアスピレーション・ホース（４６）。
【請求項３３】
前記バルブ・メカニズム（１２０）を前記遮断位置へ付勢するように構成された付勢部材（１３８）をさらに備える、請求項３２に記載のアスピレーション・ホース（４６）。
【請求項３４】
前記バルブ・メカニズム（１２０）が前記遮断位置にあるときに、前記上流セクション（１２４）と大気との間を流体連通させるための空気入口部（１４６）をさらに備える、請求項３２または３３に記載のアスピレーション・ホース（４６）。
【請求項３５】
前記アスピレーション・ホース（４６）は、前記バルブ・メカニズム（１２０）が前記開位置にあるときに、前記上流セクション（１２４）と前記大気との間の流体連通が閉じられるように構成されている、請求項３４に記載のアスピレーション・ホース（４６）。
【請求項３６】
請求項３２から３５のいずれか一項に記載のアスピレーション・ホース（４６）を備えるキャニスター（４２）。
【請求項３７】
請求項３２から３５のいずれか一項に記載のアスピレーション・ホース（４６）または請求項３６に記載のキャニスター（４２）を備える医療用アスピレーター（１０）。
【発明の詳細な説明】
【技術分野】
【０００１】
本開示は、概して、特に医療用アスピレーターの状況における、感染性因子の拡散の回避、ならびに、電気的安全および吸引性能の改善に関する。とりわけ、医療用アスピレーター用のさまざまな真空ポンプ、医療用アスピレーター用のモーター・ユニット、使い捨ての構成体、医療用アスピレーターの中の空気流などの、空気流の中の感染性因子を非活性化させるための構成体、医療用アスピレーター用の２ステージ式キャニスター、医療用アスピレーターのキャニスター用のアスピレーション・ホース、および、これらの特徴を含む医療用アスピレーターが提供される。また、真空ポンプによって生成される真空を制御するための方法が提供される。
【背景技術】
【０００２】
医療用吸引ユニットとも称される医療用アスピレーターは、たとえば、医療処置または緊急状況の間に体液を除去するための一般的なデバイスである。たとえば、患者または傷病者を真空吸引下にさらして、肺または他の場所から体液および分泌物を除去する必要がある可能性がある。医療用アスピレーターは、ほとんどの救急車にある標準的な機器の一部である。
【０００３】
特許文献１は、ハウジングの中に配置されている真空ポンプおよび流体コンテナを備えた可搬式アスピレーターを開示している。ポンプは、コンテナの中に低減された圧力を生成し、アスピレーション・ホースによって流体が患者から吸引されてコンテナの中に貯蔵される。フィルターが、真空ホースとハウジングの中のアクセス孔の中に除去可能に装着されるコネクター・グロメットとの間に接続されている。コンテナは、真空ホースから切り離され、使用と使用との間にアスピレーターを洗い流す。
【０００４】
アスピレーターの使用の間に、患者からの分泌物がフィルターの機能を悪化させ、感染性因子がポンプおよび駆動電子機器に拡散するリスクがある。結果的に、フィルターは、駆動電子機器から患者をガルバニックに分離するように機能しなくなる可能性がある。分泌物は導電性であることが多いので、患者およびオペレーターは、電気ショックを受けるリスクがある。
【０００５】
そのうえ、感染性因子は、アスピレーターの他のパーツに張り付き、感染を拡散させるリスクがある。また、使用と使用との間の必要なクリーニングおよび殺菌手順が複雑になるので、アスピレーターの清浄度を制御することが困難となる。
【０００６】
特許文献１の中の可搬式アスピレーターに伴うさらなる欠点は、とりわけフィルター機能が劣化したときに、大気へポンプ送りされる空気（排気空気）が感染性因子を含有する可能性があることである。これは、アスピレーターの近くの人員および患者を健康リスクにさらす。また、殺菌したツール、アスピレーターの周りの表面などに付着する汚染物質のリスクが増加される。
【先行技術文献】
【特許文献】
【０００７】
【特許文献１】国際公開第９４２１３１２Ａ２号パンフレット
【発明の概要】
【発明が解決しようとする課題】
【０００８】
したがって、本開示の１つの目的は、医療用アスピレーターに関連し、感染性因子の拡散を回避し、電気的安全を改善するための、構成体および方法を提供することである。本開示の他の１つの目的は、医療用アスピレーター中に信頼性の高いガルバニック・バリアを提供することである。さらなる目的は、医療用アスピレーターの性能を改善し、医療用アスピレーターの構造を簡単化する解決策を提供することである。
【課題を解決するための手段】
【０００９】
１つの態様によれば、医療用アスピレーター用の真空ポンプが提供され、ポンプは、チューブ状の部材と、チューブ状の部材の中に摺動可能に配置されたピストンと、ピストンに接続されたピストン・ロッドと、ピストン・ロッドを、ポンプを駆動するためのモーターに取り外し可能におよび機能的に接続するためのカップリング・メカニズムとを含み、ピストン・ロッドは、ポンプの動作中に直線的に往復運動するように構成されている。
【００１０】
チューブ状の部材は、シリンダーによって構成される。ピストン・ロッドの直線的な往復移動に起因する、チューブ状の部材とピストンとの間の許容差に関する要件が低減されるので、その製造がより簡単でより安価になる。また、ポンプ・ユニット、たとえば、ポンプ用のハウジングは、よりコンパクトにされる。
【００１１】
真空ポンプが、モーターに取り付けられ、また、モーターから取り外されるので、真空ポンプは、使い捨てにされ、すなわち、かなり簡単な構造によって作製され、安価な材料、たとえば、プラスチックから作製される。したがって、ポンプは、単回使用のポンプとすることができる。カップリング・メカニズムは、「クイック・カップリング」とすることができる。カップリング・メカニズムは、スレッド、ラッチ、ウェッジなどを用いた接続など、さまざまな形態を採用することが可能である。
【００１２】
真空ポンプは、２つの一方向バルブを含むことができ、１つのバルブは、任意で排気チャネルを介して、チューブ状の部材の中のピストン・チャンバーから大気へ空気を送達するためのものである。１つのバルブは、真空チャネルからピストン・チャンバーの中へ空気を送達するためのものである。
【００１３】
真空ポンプは、使い捨てのキャニスターと一体的に形成される。代替的に、真空ポンプは、使い捨てのキャニスターに取り付け可能である。この変形例によって、１つの使い捨てのポンプと、１つまたは複数の、たとえば５つの使い捨てのキャニスターとを含む、使い捨てのセットが提供される。医療用アスピレーターを使用する病院および同様の施設は、したがって、そのような使い捨てのセットを定期購入することが可能である。
【００１４】
真空ポンプは、駆動メカニズムをさらに含むこととしてもよい。駆動メカニズムは、モーターの回転運動をピストン・ロッドの直線的な往復運動に変換するように構成されており、カップリング・メカニズムは、駆動メカニズムの上に設けられる。この駆動に関して、モーターは、回転可能なモーター・シャフトを含むことが可能である。
【００１５】
モーターからの回転運動は、モーターの出力シャフト、たとえば、ベルト伝動によって駆動される別個のシャフトの回転運動とすることができる。このようにして、騒音が低減され、また、モーター装着の許容差に関する要件が低減させられる。しかし、ピストン・ロッドの直線的な往復運動は、リニア・モーターからの直線運動を伝達することによって達成される。
【００１６】
カップリング・メカニズムが、駆動メカニズムとモーターとの間の取り外し可能なカップリングを確立するように構成されているときには、駆動メカニズムおよびポンプの両方が使い捨てにされる。このケースでは、ピストン・ロッドの上のカップリング・メカニズムが省略される。
【００１７】
駆動メカニズムは、第１のアームと、第１のアームに枢動可能に接続されている第２のアームと、ピストン・ロッドの直線的な往復運動に沿って第１のアームを直線的にガイドするためのガイド構成体とを含むことができる。ガイド構成体は、リニア軸受によって構成される。
【００１８】
第１のアームは、ピストン・ロッドによって構成され、または、ピストン・ロッドに固定して取り付けられる。第１のアームがピストン・ロッドによって構成されるケースでは、ガイド構成体は、直線的な往復運動でピストン・ロッドを直線的にガイドするように構成される。
【００１９】
駆動メカニズムは、代替的に、モーター・シャフトの上の偏心体に接続されているカップリング・メカニズムによって取り付けられる。したがって、第２のアームは、偏心ロッドを構成することが可能である。したがって、駆動メカニズムは、古典的な機関車ドライブに似ていることが可能である。偏心体は、代替的に、ベース・プレートまたはフライ・ホイールと称される。
【００２０】
代替的に、駆動メカニズムは、ピストン・ロッドの往復運動の方向に対して実質的に垂直に延在するトラックを備えたトラック部材を含むことができる。モーター・シャフトからのピン（モーター・シャフトの回転軸線に対してオフセットされている）をトラックの中にガイド可能に受け入れることによって、トラック部材は、モーター・シャフトが回転するときに、ピストン・ロッドとともに直線的に往復運動する。トラック部材は、２つの内向きに面する溝部を備えたフレームの中に摺動可能に支持される。
【００２１】
駆動メカニズムは、上記ではモーター・シャフトによって駆動されるものとして説明されたが、ベルト部材を介してモーター・シャフトによって駆動される回転可能な中間シャフトを配置することも可能である。ベルト部材は、モーター・シャフトに対して、中間シャフトの回転速度を低減（ギヤ・ダウン）させることができる。したがって、本開示においてモーター・シャフトによって駆動されるものとして説明されている駆動メカニズムは、そのような中間シャフトによって駆動されることもできる。また、モーター・シャフトによって駆動メカニズムを駆動するためのさらなる代替的な構成も考えられる。
【００２２】
真空ポンプは、膜をさらに含むことができ、膜は、ポンプを密閉するために、たとえば、ポンプの１つの側部またはポンプの１つの側部の部分的なエリアなどの、ポンプの１つの領域を密閉するために、ピストン・ロッドに固定されている。膜は、可撓性とすることができ、代替的に、ダイヤフラムと称してもよい。
【００２３】
膜は、それによって、ピストン・ロッドの直線的な往復移動にしたがう。直線的な往復運動は、それらの往復運動の間に変化する角度で移動するピストン・ロッドの往復運動よりも、膜に対して有害でない。
【００２４】
膜がポンプを密閉するので、膜は、ガルバニック・バリアを構成している。フィルターが（たとえば、キャニスター・ユニットの中に）使用されるケースでは、フィルターは、第１のガルバニック・バリアを構成することができ、膜は、第２のガルバニック・バリアを構成することができる。
【００２５】
膜は、ポンプの壁部を構成することができる。膜は、ゴア層またはＰＴＦＥ（ポリテトラフルオロエチレン）膜とすることができる。
【００２６】
さらなる態様によれば、医療用アスピレーター用の真空ポンプが提供され、ポンプは、チューブ状の部材と、チューブ状の部材の中に摺動可能に配置されたピストンと、ピストンに接続されたピストン・ロッドと、ポンプを密閉するためにピストン・ロッドに固定された膜であって、ピストン・ロッドは、ポンプの動作中に直線的に往復運動するように構成されている、膜とを含む。このポンプは、使い捨ておよび非使い捨て（すなわち、医療用アスピレーターのモーター・ユニットに恒久的に取り付けられている）の両方として構成される。膜は、ポンプの１つの領域を密閉することができる。
【００２７】
さらなる態様によれば、医療用アスピレーター用のモーター・ユニットが提供され、モーター・ユニットは、真空ポンプを駆動するためのモーターと、少なくとも２つのバッテリーであって、それぞれのバッテリーは、駆動電流をモーターに供給するように構成されている、バッテリーと、それぞれのバッテリーに関連付けられたリレーであって、それぞれのリレーは、メイン電源から電荷を受け入れる許容状態と、メイン電源からの電荷を受け入れない非許容状態との間で動作するように構成されている、リレーとを含む。バッテリーは、たとえば鉛酸バッテリーなど、任意の適切なタイプのものであることができる。バッテリーおよびリレーは、モーター・ユニットの配電ユニットの中に配置される。
【００２８】
メイン電源は、建物（たとえば、病院）からの電源、または、車両（たとえば、救急車）からの電源とすることができる。メイン電源は、１２ＶＤＣとすることができる。バッテリーのリレーは、互いからガルバニックに分離される。
【００２９】
モーター・ユニットは、制御ユニットをさらに含むことができ、制御ユニットは、モーターに駆動電流を交互に供給するために、少なくとも２つのバッテリーを制御するように構成されている。より具体的には、制御ユニットは、リレーを交互に制御するように構成され、これにより、現在モーターに駆動電流を供給しているバッテリーのリレーは非許容状態をとり、１つまたは複数の残りのバッテリーそれぞれのリレーは許容状態をとり、モーターが決してメイン電源に電気的に接続されないようなっている。このようにして、リレーは、第３のガルバニック・バリアを構成している。
【００３０】
したがって、２つのバッテリーが使用されているケースでは、一方のバッテリーは充電中であり、他方のバッテリーは、モーター・ユニットの動作中に駆動電流を送達する。この制御によって、モーター・ユニットは、医療用アスピレーターの吸引動作中に、（たとえば、救急車の中の）メイン電源に安全に接続される。
【００３１】
さらなる態様によれば、医療用アスピレーターが提供され、医療用アスピレーターは、本開示による真空ポンプ、および／または、本開示によるモーター・ユニットを含む。
【００３２】
本開示によるそれぞれの医療用アスピレーターは、キャニスターを含むことができる。キャニスターは、ポンプ・ユニットまたはポンプに取り付けられ、ポンプがキャニスターの中に真空を確立することができるようになっている。また、医療用アスピレーターは、キャニスターに取り付けられたアスピレーション・ホースを含むことができる。したがって、キャニスターの中に低減された圧力を生成することによって、流体および分泌物が、アスピレーション・ホースによって患者から吸引され、キャニスターの中に収集される。
【００３３】
また、医療用アスピレーターは、細菌などのような感染性因子を除去するためのフィルターを含むことができる。フィルターは、チャネル内のキャニスターとポンプとの間に配置される。たとえば、フィルターは、キャニスター・ユニット（たとえば、キャニスターハウジング）の中の真空チャネルの中に配置される。フィルターは、ＨＥＰＡフィルターとすることができる。また、キャニスターまたはキャニスター・ユニットは、使い捨てとすることができる。
【００３４】
本開示の全体を通して、ポンプ・ユニットは、キャニスターまたはキャニスター・ユニットと一体的に形成される。代替的に、これらのパーツは、互いに取り外し可能に接続可能である。
【００３５】
さらなる態様によれば、使い捨ての構成体が提供され、使い捨ての構成体は、第１の使い捨てのパーツであって、第２のパーツに接続できるか、または、第２のパーツと一緒に接合構造体を形成している、第１の使い捨てのパーツと、可撓性のエンクロージャーであって、第２のパーツと一緒に第１の使い捨てのパーツを使用している間に第２のパーツの周りに保護シールドを提供するように構成されると共に、使用が完了した後に、または、使用の休止の間に、第１の使い捨てのパーツの周りに保護シールドを提供するために反転されるように構成されている、可撓性のエンクロージャーとを含む。
【００３６】
使い捨ての構成体は、「汚れた」コンポーネントが保護されるべきである幅広い用途に使用される。保護シールドは、細菌シールド、化学シールド、ガス・シールド、および／または、汚れシールドを構成することができる。１つの例として、使い捨ての構成体は、ペイント・ブラシとして実装され、ペイント・ブラシでは、ブラシが第１の使い捨てのパーツを構成し、シャフトが第２のパーツを構成する。
【００３７】
ブラシがシャフトに取り外し可能に接続できるケースでは、可撓性のエンクロージャーは、ブラシの上に設けられ、ブラシは、次いで、シャフトに接続されている。次いで、可撓性のエンクロージャーが、ペインティングの間に、シャフト、および、好ましくは、ペインターの手も保護するために、ペイント・ブラシのシャフトの周りに巻き付けられる。ブラシをカバーするように可撓性のエンクロージャーを反転させることによって、ブラシは乾燥することを防止され、シャフトは、ペインティング手順の間に可撓性のエンクロージャーによって保護されていたのできれいである。また、可撓性のエンクロージャーは、反転された状態で、洗浄剤、溶媒、ガス、抑制剤、または他の関連の物質／流体によって充填される。可撓性のエンクロージャーが周りに巻き付けられた状態のブラシは、シャフトから取り外され、廃棄または保管される。アッセンブリは、このように、任意の汚れ、このケースでは、主に塗料を拡散させない。
【００３８】
また、使い捨ての構成体は、ブラシがシャフトに恒久的に取り付けられたペイント・ブラシとしても実装される。ブラシおよびシャフトは、それによって、接合構造体を構成する。したがって、接合構造体は、使い捨ての接合構造体とすることができる。可撓性のエンクロージャーは、ペインティング手順の間に、上記に説明されたのと同じようにして、シャフトを保護することができる。終了したときに、可撓性のエンクロージャーは、ブラシを保護するように反転させられ、ペイント・ブラシ（すなわち、接合構造体）全体が、任意の汚れ、すなわち、塗料を拡散させることなく、廃棄または保管される。
【００３９】
さらに考えられる使い捨ての構成体の１つの用途は、スプレー・カン用のものである。しかし、本開示の中では、使い捨ての構成体は、主に医療用アスピレーターにおいて説明されている。
【００４０】
したがって、１つの変形例によれば、医療用アスピレーター用のポンプ・ユニットが提供され、ポンプ・ユニットは、モーター・ユニットのモーターによって駆動可能な真空ポンプと、可撓性のエンクロージャーとを含み、可撓性のエンクロージャーは、医療用アスピレーターの吸引動作中に、モーター・ユニットの周りに細菌シールドを提供するように構成されると共に、医療用アスピレーターの吸引動作が完了した後に、ポンプ・ユニットの周りに細菌シールドを提供するために反転されるように構成されている。
【００４１】
可撓性のエンクロージャーは、プラスチック・バッグとすることができる。可撓性のエンクロージャーは、開閉可能な開口部を含むことができ、開閉可能な開口部は、開条件において、可撓性のエンクロージャーが、第２のパーツを囲む状態から、第１の使い捨てのパーツを囲む状態へ反転されることを可能にし、開閉可能な開口部は、閉条件において、それぞれ第２のパーツおよび第１の使い捨てのパーツの周りに、実質的に流体密封のシールの部分を形成する。
【００４２】
したがって、医療用アスピレーター用のポンプ・ユニットに関する１つの変形例によれば、可撓性のエンクロージャーは、開閉可能な開口部を含み、開閉可能な開口部は、開条件において、可撓性のエンクロージャーが、モーター・ユニットを囲む状態から、ポンプ・ユニットを囲む状態へ反転されることを可能にし、また、開閉可能な開口部は、閉条件において、それぞれモーター・ユニットおよびポンプ・ユニットの周りに、実質的に流体密封の（または、流体密封および気密の）シールの部分を形成する。
【００４３】
可撓性のエンクロージャーがモーター・ユニットをカバーしているときに、可撓性のエンクロージャー中に捕捉される空気は、たとえば、開閉可能な開口部を通して吸引される。それによって、モーター・ユニットの外部に対する可撓性のエンクロージャーの緊密なフィットを確立し、たとえば、モーター・ユニットの上でのユーザー・インターフェースの動作を促進させることができる。また、モーター・ユニットの上で可撓性のエンクロージャーが緊密にフィットすることは、保護シールドが傷ついていいことを示している。開閉可能な開口部は、ジップ・ロックによって構成されるか、または、２つのジップ・ロックによって構成される。ここで、１つのジップ・ロックは、可撓性のエンクロージャーが第１の使い捨てのパーツをカバーするときに、開口部を閉じるために使用され、また、１つのジップ・ロックは、可撓性のエンクロージャーが第２のパーツをカバーするときに、開口部を閉じるために使用される。
【００４４】
使い捨ての構成体が医療用アスピレーターにおいて使用されるケースでは、第１の使い捨てのパーツは、医療用アスピレーター用の真空ポンプを備えたポンプ・ユニットによって構成されており、第２のパーツは、医療用アスピレーター用のモーターを備えたモーター・ユニットによって構成されている。真空ポンプは、モーターによって駆動可能であり、可撓性のエンクロージャーは、医療用アスピレーターの吸引動作中に、モーター・ユニットの周りに細菌シールドを提供するように構成されると共に、医療用アスピレーターの吸引動作が完了した後に、ポンプ・ユニットの周りに細菌シールドを提供するために反転されるように構成されている。
【００４５】
可撓性のエンクロージャーがモーター・ユニット（第２のパーツ）をカバーしているとき、エンクロージャーは、準備モードまたは動作モードにあると言うことができる。可撓性のエンクロージャーがポンプ・ユニット（第１の使い捨てのパーツ）をカバーしているとき、エンクロージャーは、処分モードにあると言うことができる。したがって、可撓性のエンクロージャーは、最初に、（準備モードにおいて）モーター・ユニットを保護し、次いで、（処分モードにおいて）オペレーターを保護する。
【００４６】
可撓性のエンクロージャーは、追加的に、医療用アスピレーターの吸引動作が完了した後に、ポンプ・ユニットおよびキャニスター・ユニット（アスピレーション・ホースも含む）の周りに細菌シールドを提供するために反転されるように構成される。
【００４７】
医療用アスピレーターの使用の前および間に、可撓性のエンクロージャーがモーター・ユニットを囲んでいるとき、ユーザー・インターフェース（たとえば、ボタンおよび／または制御ノブ）は、たとえば、可撓性のエンクロージャーの上を押すことによって、可撓性のエンクロージャーを通して動作させられる。吸引動作が完了すると、オペレーターは、可撓性のエンクロージャーを反転させることができ、それがポンプ・ユニットを（任意でキャニスター・ユニットも）囲むようになっている。また、可撓性のエンクロージャーを閉じる前に、オペレーターは、使用済みのグローブを可撓性のエンクロージャーの中へ投入することもできる。
【００４８】
可撓性のエンクロージャーは、準備モードおよび処分モードにおいて、それぞれモーター・ユニットおよびポンプ・ユニットの周りに流体密封のシールを提供するように構成される。この流体密封のシールは、追加的に、気密とすることができる。
【００４９】
真空ポンプは、膜を含むことができ、可撓性のエンクロージャーは、膜と一体的に形成される。それによって、可撓性のエンクロージャーおよび膜は、１つの連続的なパーツを形成する。膜は、上記に説明されたものと同じ膜とすることができ、それは、たとえば、ポンプの１つの領域を密閉するために、使い捨てのピストン・ロッドに固定されている。
【００５０】
さらなる態様によれば、医療用アスピレーターが提供される。医療用アスピレーターは、本開示によるポンプ・ユニットおよびポンプを備えた使い捨ての構成体と、ポンプ・ユニットの真空ポンプを駆動するためのモーターを含むモーター・ユニットとを含む。ポンプ・ユニットは、モーター・ユニットに取り外し可能に接続可能である。
【００５１】
さらなる態様によれば、医療用アスピレーターの中の空気流などの、空気流の中の感染性因子（たとえば、細菌）を非活性化させるための構成体が提供される。構成体は、空気流をガイドするためのチャネルである。チャネルは少なくとも部分的に、紫外線光に対して透過性の材料によって構成されたチャネルと、チャネルの処理セクションの中の空気流を紫外線（ＵＶ）光にさらすように構成され、チャネルに隣接配置された紫外線光源とを含む。
【００５２】
紫外線光源は、２００ｎｍから２８０ｎｍの波長、たとえば、２５０ｎｍから２８０ｎｍの波長など、たとえば、２６５ｎｍの波長などを有するＵＶタイプＣ（ＵＶＣ）光を提供するように構成される。チャネルは、所与の時間の間に、空気流全体が紫外線光にさらされるように設計され、すなわち、特定の用途のチャネルの中の流量に依存して設計される。チャネルは、医療用アスピレーターの中の真空チャネルまたは排気チャネルとすることができる。
【００５３】
しかし、この構成体は、車両（車、バス、列車、飛行機）、医療施設、患者テント、隔離病棟、保育器などの中の換気構成体を含む、幅広い範囲の他の用途においても使用され、そこでは、入口部空気が紫外線光源からの紫外線光にさらされる。この構成体に関するさらなる可能性のある用途は、医療従事者用の外科用マスク（たとえば、ガス・マスク・タイプの外科用抗菌性マスクなど）、紫外線光源が接続ホースを紫外線光にさらすように設けられる補助換気（レスピレーター、心肺機能蘇生（ＣＰＲ）マスクなど）を備えたフェイス・マスク、呼吸バッグ、ＣＰＲトレーニング・マネキンなどを含む。
【００５４】
構成体は、たとえば、癌治療の後に、抑制された免疫システムを有する人を感染に対して保護するためにさらに使用される。紫外線光源は、たとえば、バックパックの中で、または、ベルトによって、人によって運搬され、チャネルは、紫外線光源とフェイス・マスクとの間のホースによって構成される。したがって、大気が消毒され、構成体を運搬している人に、高い移動性を提供する。
【００５５】
構成体は、ユニバーサル・ポータブル・デバイスとしてさらに実装でき、ユニバーサル・ポータブル・デバイスは、変化する幅のホース、および、任意のタイプのホース、すなわち、任意の用途に関して、取り外し可能に取り付けられる（たとえば、その上にクランプされる）ように構成される。例として、構成体は、ホースの上にクランプされるバッテリー・パッケージおよび紫外線光源を含有するクランプ・オン・デバイスとして実装される。クランプ・オン・デバイスは、それぞれ概してハーフ・シリンダー外観の２つのピースによって設計され、それは、バッテリー・パッケージおよび紫外線光源をそれぞれ含有または構成している。２つのピースは、任意で、ホースの上の２つのピースを付勢する付勢メカニズムによって、互いにヒンジ式に接続される。代替的に、または、それに加えて、ピースをホースに固定するために、ストラップが設けられる。
【００５６】
そのうえ、紫外線光源は、１つまたはいくつかのホースが取り外し可能に接続されるデバイスの中に配置される。そのようなデバイスは、可搬式または定置式とすることができる。デバイスは、大気を吸い込むための開口部を有することができる。代替的に、デバイスは、入口ホースに連結され、すなわち、２つのホースの間に配置される。
【００５７】
紫外線光源は、たとえば、ＬＥＤ（発光ダイオード）光源、レーザー、パルス状レーザー、パルス状キセノン、またはパルス状ＬＥＤとすることができる。構成体が医療用アスピレーターに関連して使用されるケースでは、紫外線光源は、処理セクションの中の空気流を紫外線光にさらすのに適切な任意の場所に位置決めされる。たとえば、紫外線光源は、ポンプ・ユニットまたはモーター・ユニットの外部に位置決めされ（たとえば、それらの上部のボックスとして構成されている）、または、ポンプ・ユニットまたはモーター・ユニットの外部の近くに位置決めされる。したがって、構成体は、既存の医療用アスピレーターに対する改造を可能にする。
【００５８】
また、紫外線光源は、キャニスターの中の空気を紫外線光にさらすように配置される。空気がキャニスターを通って移動しているので、キャニスターは、チャネルを構成すると言うこともできる。また、キャニスターの内側に収集された流体および分泌物は、紫外線光にさらされて消毒される。
【００５９】
処理セクションの中のチャネルは、空気流を異なる方向に導くように構成された少なくとも２つのチャネル・セグメントを含むことができる。例として、処理セクションは、２つの実質的に平行なチャネル・セグメントと、相互接続する湾曲部とを含むことができる。さらなる例として、処理セクションの中のチャネルは、渦巻き、コイル、またはらせんとして配置され、および／または、複数の実質的に平行なチャネル・セグメントを含むことができる。
【００６０】
さらなる態様によれば、本開示による、空気流の中の感染性因子を非活性化させるための構成体を含む医療用アスピレーターが提供される。
【００６１】
さらなる態様によれば、医療用アスピレーターの中のモーターによって駆動される真空ポンプによって生成される真空を制御するための方法が提供され、方法は、生成された真空を検出するステップと、検出された、生成された真空に基づいて、モーターに供給される駆動電流を制御するステップとを含む。
【００６２】
１つの変形例によれば、モーターに供給される駆動電流は、検出された、生成された真空に直線的に比例するように制御される。このケースでは、生成された真空が低いときには、比較的に高い駆動電流がモーターに供給され、生成された真空が高いときには、比較的に低い駆動電流がモーターに供給される。モーターは、駆動電流に比例する回転モーメント（トルク）を提供するように構成される。モーターは、ＢＬＤＣ（ブラシレスＤＣ電気）モーターとすることができる。
【００６３】
特定の医療処置、患者条件、または他の要因に応じて、患者がさらされる真空のレベルを制御すること、および、そのような真空レベルの最大限界値を設定することが好ましいことが多い。たとえば、アスピレーション・ホースが口腔内に張り付く場合には、患者が傷つけられる可能性がある。モーターに供給される駆動電流をこのように制御することによって、アスピレーション・ホースの中の最大真空は、特定の閾値に制限される。
【００６４】
さらなる態様によれば、医療用アスピレーターが提供され、医療用アスピレーターは、真空ポンプと、真空ポンプを駆動するように構成されたモーターと、生成された真空を検出するための手段と、本開示にしたがってモーターに供給される駆動電流を制御するように構成されている制御ユニットとを含む。モーターによって生成される真空レベルは、さまざまな様式で得られる。ＢＬＤＣモーターを動作させるとき、生成される真空は、駆動電流に比例している。しかし、公知のタイプの専用の真空センサーも、生成された真空を検出するために使用される。本開示による医療用アスピレーターは、たとえば、ポンプ・ユニットの中に配置された機械的な真空調整器を追加的に含むことができる。
【００６５】
さらなる態様によれば、医療用アスピレーター用の２ステージ式キャニスターが提供され、キャニスターは、アスピレーション・ホース用の入口部、および、真空チャネル用の出口部を備えた第１の貯蔵部と、第２の貯蔵部と、第１の貯蔵部の中の流体を第２の貯蔵部に排出させるために、閉位置から排出位置へと移動可能なパーティション部材を含む。閉位置では、パーティション部材が第１の貯蔵部の中に流体を維持するように構成される。
【００６６】
排出位置は、第２の貯蔵部と第１の貯蔵部の入口部／出口部との間に流体連通が確立される開位置であってもよく、または、そうでなくてもよい。パーティション部材が閉位置にあるときに、第２の貯蔵部は、真空構築の観点から、第１の貯蔵部から機能的に隔離されている（この部材は、閉位置において、第１の貯蔵部および第２の貯蔵部を区切るので、「パーティション部材」という用語が選択される）。したがって、パーティション部材が閉位置にあるときに、キャニスターの中の真空構築に有効な体積が低減される。その理由は、真空が、第１の貯蔵部の中だけで確立されなければならず、第２の貯蔵部の中では確立される必要がないからである。
【００６７】
結果として、真空構築に関する時間が短縮される。多くのキャニスターの最大容量は、決して使用されないか、または、時々使用されるだけであるので、有用である。そのうえ、キャニスターがきれいにされる必要がある場合に、第２の貯蔵部が使用されなかった場合には、きれいにするために必要とされる体積が低減される。また、第２の貯蔵部を配設することなく、第１の貯蔵部が配設されるので、コストを低く維持する。
【００６８】
医療用アスピレーターによる吸引動作のしばらく後に、第１の貯蔵部は、満杯もしくはほぼ満杯にすることができ、または、他の理由のために、たとえば、衛生的な理由のために、第１の貯蔵部を空にすることが望まれる可能性がある。閉位置から排出位置へパーティション部材を操縦することによって、第１の貯蔵部と第２の貯蔵部との間の流体連通が開く。それによって、第１の貯蔵部の中の流体および分泌物が、重力によって第２の貯蔵部に排出される。
【００６９】
本開示の全体を通して、第１の貯蔵部および第２の貯蔵部は、代替的に、第１のチャンバーおよび第２のチャンバーとそれぞれ称され、または、第１ステージのキャニスターおよび第２ステージのキャニスターとそれぞれ称される。第２の貯蔵部は、第１の貯蔵部よりも大きい体積を有することとしてもよい。第１の貯蔵部は、２００ｍｌから４００ｍｌの体積、たとえば、３００ｍｌなどの体積を有することが可能である。第２の貯蔵部は、６００ｍｌから８００ｍｌの体積、たとえば、７００ｍｌなどの体積を有することができる。
【００７０】
２ステージ式キャニスターは、使い捨てとすることができる。代替的に、または、それに加えて、それは、使い捨てのポンプなどのようなポンプと一体的に形成され、または、それに取り外し可能に取り付けられる。
【００７１】
２ステージ式キャニスターは、本開示において説明されているようなキャニスター・ユニットの中に含まれる。フィルターが、真空チャネルの中に設けられる。キャニスター・ユニットは、アスピレーション・ホースおよび／または真空チャネルをさらに含むことができる。上述のように、流体および分泌物は、アスピレーション・ホースによって患者から吸引され、また、低減された圧力をキャニスターの中に生成することによって、キャニスターの中に収集される。
【００７２】
第１の貯蔵部および第２の貯蔵部の両方は、パーティション部材が排出位置にある状態で、２ステージ式キャニスターの動作中に、低減された圧力に耐えるように構成される。換言すれば、第１の貯蔵部および第２の貯蔵部の両方が、真空構築に耐えるように設計される。この構成によって、２ステージ式キャニスターは、パーティション部材が排出位置にあるときに、１ステージ式キャニスターとして動作させられることもでき、すなわち、それは、第１の貯蔵部および第２の貯蔵部の両方によって形成されている大きい連続的な体積で動作させられる。
【００７３】
第２の貯蔵部は、可撓性とすることができる。結果的に、第２の貯蔵部によって占有されるスペースが低減される。すなわち、第２の貯蔵部は、第２の貯蔵部の中へ排出される流体の体積に基づいて膨張することができる。
【００７４】
パーティション部材は、排出位置から閉位置へ移動可能である。換言すれば、パーティション部材は、閉位置と排出位置との間で可逆的に移動可能である。このように、２ステージ式キャニスターは、低減された体積（すなわち、パーティション部材が閉位置になっている状態）によって繰り返し稼働することができ、繰り返される稼働の間に１つまたはいくつかの空にする手順（すなわち、パーティション部材が排出位置になっている状態）を有する。
【００７５】
パーティション部材が排出位置から閉位置へ移動可能であるすべての変形例に関して、パーティション部材は、閉位置に向けて付勢される。これは、たとえば、適切なスプリング構成体によって現実化される。
【００７６】
しかし、パーティション部材は、代替的に、閉位置から排出位置へ不可逆的に移動可能である。たとえば、使い捨ての２ステージ式キャニスターなど、簡単化された設計が求められるケースでは、これが有益である可能性がある。
【００７７】
パーティション部材は、パーティション部材が閉位置になっているときに、第２の貯蔵部に対して第１の貯蔵部を密閉するための閉鎖ピストンを含むことができる。たとえば、第１の貯蔵部は、チューブ状の部材によって構成される。パーティション部材の閉位置において、ピストンは、チューブ状の部材のリムに当接することができ、すなわち、ピストンは、チューブ状の部材の内部プロファイルよりも大きくすることができる。代替的に、パーティション部材が閉位置になっているかまたは閉位置にあるときに、ピストンは、チューブ状の部材の中に受け入れられる。当然のことながら、ピストンの外側プロファイルは、それによって、チューブ状の部材の内部プロファイルに対応している。これらのプロファイルは、円形、正方形などとすることができる。
【００７８】
パーティション部材は、閉鎖ピストンに取り付けられたピストン・ロッドを含むことができ、ピストン・ロッドは、第１の貯蔵部の外部を通って延在することができる。この設計によって、第１の貯蔵部の外部を通って延在するピストン・ロッドの一部は、ハンドルとして機能し、また、閉位置から排出位置へ、および／または、逆の方向に、パーティション部材を操縦するために、オペレーターによって作動することができる。
【００７９】
パーティション部材は、閉位置から排出位置へのパーティション部材の移動の間に、第１の貯蔵部の中の流体を第２の貯蔵部へと押すための押圧ピストンを含む。このように、第２の貯蔵部と入口部／出口部との間の直接の流体連通が防止される。それに加えて、粘性流体および／または分泌物は、それらが第１の貯蔵部から第２の貯蔵部の中へ押し込まれるので、より確実に排出される。したがって、この変形例では、第１の貯蔵部を第２の貯蔵部へ排出させるために、重力に依存しない。
【００８０】
さらなる態様によれば、本開示による２ステージ式キャニスターを含む医療用アスピレーターが提供される。
【００８１】
医療用アスピレーター用のいくつかの先行技術のアスピレーション・ホースは、先端部（遠位セクション）における空気入口部によって送達されるか、または、オプションとして、空気入口部を有する。オペレーターは、空気入口部から離すように親指を持ち上げることによって、アスピレーション・ホースの内側に生成される真空を破壊することができ、大気からの空気をアスピレーション・ホースに進入させることができる。アスピレーション・ホースが吸引領域の中の人間組織に張り付くときに、これが望まれる可能性がある。その機能は、電気掃除機用のシャフトの上に一般に設けられるバルブの機能と同様である。いくつかの他の先行技術アスピレーション・ホースにおいて、アスピレーション・ホースが人間組織に張り付くときに、アスピレーション・ホースの内側の真空を解放する唯一の方法は、アスピレーション・ホースをキャニスターから取り外すことである。
【００８２】
さらなる態様によれば、患者から医療用アスピレーターのキャニスターの中へ流体を吸引するためのアスピレーション・ホースが提供され、アスピレーション・ホースは、上流セクションと、下流セクションと、開位置と遮断位置との間で切り替え可能なバルブ・メカニズムであって、バルブ・メカニズムは、開位置では、吸引された流体を上流セクションから下流セクションへ通過させるように構成され、遮断位置では、上流セクションの中の吸引された流体が下流セクションに進入することを阻止するように構成されている、バルブ・メカニズムとを含む。
【００８３】
バルブ・メカニズムが遮断位置になっており、医療用アスピレーターのポンプが稼働しているときに、下流セクションの中に真空が生成されるが、上流セクションの中には生成されない。本明細書で説明されているように、医療用アスピレーターの中のモーターによって駆動される真空ポンプによって生成される真空を制御するための方法によって、ポンプは、所望の真空設定ポイントに到達したときに停止する。それによって、アスピレーション・ホースのバルブ・メカニズムは、真空ポンプ用のオン／オフ・アクチュエーターとして使用される。通常、医療的な吸引（アスピレーション）は短い時間間隔で実施されるので、これが有用である。追加的に、バルブ・メカニズムによって真空ポンプを制御することによって、医療用アスピレーターの真空ポンプは、面倒なこと（ｈａｚｚｌｅ）なく停止され、バッテリーが節約され、騒音が低減される。
【００８４】
また、バルブ・メカニズムは、遮断位置と開位置との間の１つまたはいくつかの中間位置に位置決めされるように構成される。バルブ・メカニズムを中間位置に位置決めすることによって、オペレーターは、空気フローを調節することができる。
【００８５】
キャニスターおよび／または医療用アスピレーターは、本明細書で説明されている任意のタイプのものとすることができる。たとえば、アスピレーション・ホース全体は、使い捨てのプラスチックから作製される。上流セクションおよび下流セクションは、代替的に、遠位セクションおよび近位セクションとそれぞれ称される。アスピレーション・ホースの遠位セクションは、医療的な吸引を受ける患者のより近くにあり、近位セクションは、医療用アスピレーターのキャニスターのより近くにある。上流セクションは、アスピレーション・ホースの遠位端部における吸引開口部の直ぐ下流のセクションによって構成される。
【００８６】
バルブ・メカニズムの「遮断位置」という用語は、吸引された流体の実質的な遮断を示すために選択されている。すべての流体が遮断されるケースでは、遮断位置は、閉鎖位置とも称される。本開示の全体を通して、遮断位置および開位置は、代替的に、それぞれ、パッシブ位置およびアクティブ位置とも称される。
【００８７】
バルブ・メカニズムは、開位置と遮断位置との間の切り替えを達成するために、さまざまな設計を有することとしてもよい。１つの例として、バルブ・メカニズムは、開口パーツおよび閉鎖パーツを備えたバルブ部材を含む。アスピレーション・ホースの内側のメイン・チャネルに閉鎖パーツの位置を合わせることによって、バルブ・メカニズムは、遮断位置をとる。同様に、アスピレーション・ホースの内側のメイン・チャネルに開口パーツの位置を合わせることによって、バルブ・メカニズムは、開位置をとる。バルブ・メカニズムのバルブ部材は、バルブ・メカニズム・ハウジングの内側でガイドされ、遮断位置と開位置との間で移動することができる。
【００８８】
アスピレーション・ホースは、バルブ・メカニズムを遮断位置へ付勢するように構成された付勢部材をさらに含むことができる。このように、バルブ・メカニズムは、ノーマル・クローズ・バルブを構成している。１つの変形例によれば、付勢部材は、バルブ・メカニズムを開位置から遮断位置へと押すスプリングによって構成されている。この変形例によって、オペレーターは、流体がアスピレーション・ホースを通して吸引される限り、バルブ・メカニズムを遮断位置から開位置へと押すことができる。バルブ・メカニズムを開位置および／または任意の中間位置にロックするために、ロッキング・メカニズムが設けられる。
【００８９】
アスピレーション・ホースは、バルブ・メカニズムが遮断位置にあるときに、上流セクションと大気との間を流体連通させるための空気入口部をさらに含むことができる。空気入口部は、上流セクションの中のアスピレーション・ホースの壁部を通して流体連通を確立することができる。そのような空気入口部は、開口部によって構成される。専用の閉鎖メカニズムが、その開口部に関連付けられ、その開口部を閉じることができる。代替的に、バルブ・メカニズムは、また、この空気入口部を閉じるために配置される。そのような閉鎖メカニズムが設けられていないケースでは、オペレーターは、たとえば親指などの指によって、依然として開口部を閉じることができる。
【００９０】
アスピレーション・ホースは、バルブ・メカニズムが開位置にあるときに、上流セクションと大気との間の流体連通が閉じられるように構成される。１つの変形例によれば、これは、バルブ・メカニズム・ハウジングを介して、上流セクションと大気との間に空気入口チャネルを配置することによって達成されている。バルブ・メカニズムが開口パーツおよび閉鎖パーツを備えたバルブ部材を含むケースでは、開口パーツは、アスピレーション・ホースの内側のメイン・チャネルと位置を合わせられ、また、閉鎖パーツは、バルブ・メカニズムが開位置にあるときに、空気入口チャネルと位置を合わせられる。それによって、バルブ・メカニズムが開位置にあるときに、メイン・チャネルは開いており、空気入口チャネルは閉じられている。
【００９１】
このバルブ・メカニズムが開位置から遮断位置へ移動させられるときに、閉鎖パーツは、空気入口チャネルからメイン・チャネルへ移動させられる。それによって、バルブ・メカニズムが遮断位置にあるときに、アスピレーション・ホースの内側のメイン・チャネルは遮断され、空気入口チャネルは開いている。また、たとえば、メイン・チャネルおよび空気入口チャネルの両方がおおよそ半開するように、バルブ部材を位置決めすることなど、メイン・チャネルおよび空気入口チャネルに関する開口パーツおよび閉鎖パーツの対応する中間位置も考えられる。
【００９２】
さらなる態様によれば、本開示によるアスピレーション・ホースを含むキャニスターが提供される。
【００９３】
さらなる態様によれば、本開示によるアスピレーション・ホースを含む医療用アスピレーターが提供される。
【００９４】
本開示のさらなる詳細、利点、および態様は、図面と併せて以下の実施形態から明らかになろう。
【図面の簡単な説明】
【００９５】
【図１】モーター・ユニットと、ポンプ・ユニットと、キャニスター・ユニットとを含む、医療用アスピレーターを概略的に表す図である。
【図２ａ】可撓性のエンクロージャーがモーター・ユニットをカバーしている状態の医療用アスピレーターを概略的に表す図である。
【図２ｂ】可撓性のエンクロージャーがポンプ・ユニットをカバーしている状態の図２ａの医療用アスピレーターを概略的に表す図である。
【図３ａ】駆動メカニズムを概略的に表す図である。
【図３ｂ】さらなる駆動メカニズムを概略的に表す図である。
【図４】空気流の中の感染性因子を非活性化させるための構成体を概略的に表す図である。
【図５ａ】パーティション部材が閉位置になっている状態の２ステージ式キャニスターを概略的に表す図である。
【図５ｂ】パーティション部材が排出位置になっている状態の図５ａの２ステージ式キャニスターを概略的に表す図である。
【図６ａ】パーティション部材が閉位置になっている状態のさらなる２ステージ式キャニスターを概略的に表す図である。
【図６ｂ】パーティション部材が排出位置になっている状態の図６ａの２ステージ式キャニスターを概略的に表す図である。
【図６ｃ】パーティション部材が再び閉位置になっている状態の図６ａおよび図６ｂの２ステージ式キャニスターを概略的に表す図である。
【図７ａ】パーティション部材が閉位置になっている状態のさらなる２ステージ式キャニスターを概略的に表す図である。
【図７ｂ】パーティション部材が排出位置になっている状態の図７ａの２ステージ式キャニスターを概略的に表す図である。
【図７ｃ】パーティション部材が再び閉位置になっている状態の図７ａおよび図７ｂの２ステージ式キャニスターを概略的に表す図である。
【図８ａ】パーティション部材が閉位置になっている状態のさらなる２ステージ式キャニスターを概略的に表す図である。
【図８ｂ】パーティション部材が排出位置になっている状態の図８ａの２ステージ式キャニスターを概略的に表す図である。
【図８ｃ】パーティション部材が再び閉位置になっている状態の図８ａおよび図８ｂの２ステージ式キャニスターを概略的に表す図である。
【図９ａ】バルブ・メカニズムが遮断位置になっている状態のアスピレーション・ホースを概略的に表す図である。
【図９ｂ】バルブ・メカニズムが開位置になっている状態の図９ａのアスピレーション・ホースを概略的に表す図である。
【図９ｃ】バルブ・メカニズムが中間位置になっている状態の図９ａおよび図９ｂのアスピレーション・ホースを概略的に表す図である。
【図１０ａ】バルブ・メカニズムが遮断位置になっている状態のさらなるアスピレーション・ホースを概略的に表す図である。
【図１０ｂ】バルブ・メカニズムが開位置になっている状態の図１０ａのアスピレーション・ホースを概略的に表す図である。
【発明を実施するための形態】
【００９６】
以下では、医療用アスピレーター用のさまざまな真空ポンプ、医療用アスピレーター用のモーター・ユニット、医療用アスピレーター用のポンプ・ユニットの形態の使い捨ての構成体、医療用アスピレーターの中の空気流などの、空気流の中の感染性因子を非活性化させるための構成体、医療用アスピレーター用の２ステージ式キャニスター、医療用アスピレーターのキャニスター用のアスピレーション・ホース、および、これらの特徴を含むそれぞれの医療用アスピレーターが、説明される。同じ参照番号が、同じまたは同様の構造的な特徴を示すために使用される。
【００９７】
図１は、モーター・ユニット１２と、ポンプ・ユニット１４と、キャニスター・ユニット１６とを含む、医療用アスピレーター１０を概略的に表している。
【００９８】
ポンプ・ユニット１４は、基本的に、真空ポンプ１８を囲むハウジングである。真空ポンプ１８は、チューブ状の部材２０と、ピストン２２と、ピストン２２に接続されたピストン・ロッド２４とを含む。図１では、ピストン２２およびピストン・ロッド２４は、一体的に形成されている。しかし、ピストン２２およびピストン・ロッド２４は、代替的に、別々に形成されることとしてもよい。
【００９９】
チューブ状の部材２０は、図１の中のシリンダーとして実装されている。ピストン・ロッド２４は、ポンプ１８の動作中に直線的に往復運動するように構成されている。したがって、ピストン２２も、また、ポンプ１８の動作中に、チューブ状の部材２０の中を直線的に往復運動するように構成されている。
【０１００】
真空チャネル２６および排気チャネル２８が、ポンプ・ユニット１４の中のピストン・チャンバー３０の１つの側にさらに設けられている。図１において見ることができるように、ポンプ１８は、２つの一方向バルブ（または、逆止バルブ）３２、３４を含む。一方のバルブ３４は、真空チャネル２６からピストン・チャンバー３０の中へ空気を送達するように配置されており、また、反対側方向への空気を防止するように配置されている。他方のバルブ３２は、ピストン・チャンバー３０から排気チャネル２８を介して大気へ空気を送達するように配置されており、また、反対側方向への空気を防止するように配置されている。チューブ状の部材２０の中でピストン２２を往復運動させることによって、空気は、交互に、ピストン・チャンバー３０の中へ吸引され、ピストン・チャンバー３０から押し出され、真空チャネル２６から空気を吸引する。
【０１０１】
真空ポンプ１８、および、ポンプ・ユニット１４の中のすべての他のコンポーネントは、使い捨てである。図１では、すべてのこれらのコンポーネントは、プラスチックから作製されている。
【０１０２】
真空ポンプ１８は、モーター・ユニット１２の中のモーター３８にピストン・ロッド２４を取り外し可能かつ機能的に取り付けるためのカップリング・メカニズム３６をさらに含む。図１から推測されるように、ピストン・ロッド２４は、モーター３８に直に取り付けられているのではなく、駆動メカニズム４０を介して取り付けられている。
【０１０３】
駆動メカニズム４０は、モーター３８（より具体的には、モーター・シャフト）の回転運動をピストン・ロッド２４の直線的な往復運動に変換するように構成されている。しかし、モーター３８からの回転運動は、代替的に、たとえば、中間ベルト伝動によって、モーター３８のモーター・シャフトによって駆動される別個のシャフトの回転運動であってもよい。また、ピストン・ロッド２４の直線的な往復運動は、リニア・モーターからの直線運動を伝達することによって達成される。図１の中のカップリング・メカニズム３６は、ピストン・ロッド２４と駆動メカニズム４０との間に取り付けられているので、ピストン・ロッド２４は、モーター３８に機能的に接続されている。
【０１０４】
カップリング・メカニズム３６は、さまざまな形態を採用することができる。図１では、カップリング・メカニズム３６は、ピストン・ロッド２４と駆動メカニズム４０との間に位置付けされている。しかし、カップリング・メカニズム３６は、代替的に、図１の中の参照番号「３６」によって同様に示されているように、駆動メカニズム４０とモーター３８との間に位置付けされてもよい。このケースでは、駆動メカニズム４０は、同様に使い捨てにされ、たとえば、プラスチックから作製される。このように、ポンプ１８は、駆動メカニズム４０を含むことができる。
【０１０５】
キャニスター・ユニット１６は、キャニスター４２を含有するハウジングを構成している。図１では、キャニスター・ユニット１６は、ポンプ・ユニット１４に取り外し可能に取り付けられているものとして図示されている。しかし、キャニスター・ユニット１６は、代替的に、ポンプ・ユニット１４に恒久的に取り付けられてもよく、または、ポンプ・ユニット１４と一体的に形成されてもよい。両方のケースにおいて、キャニスター４２は、キャニスター・ユニット１６の中に取り外し可能に配置される。
【０１０６】
また、真空チャネル２６およびフィルター４４は、キャニスター・ユニット１６の中に設けられている。キャニスター・ユニット１６の中の真空チャネル２６は、キャニスター４２と流体連通している。図１の中のフィルター４４は、キャニスター・ユニット１６の中に位置決めされているが、フィルター４４（または、追加的なフィルター）は、排気チャネル２８の上に設けられてもよい。
【０１０７】
図１の中のフィルター４４は、ＨＥＰＡフィルターであり、たとえば、キャニスター４２の中の飛び跳ねに起因して真空チャネル２６に進入した感染性因子を遮断する役割を果たしている。フィルター４４は、第１のガルバニック・バリアを構成すると言うこともできる。
【０１０８】
ポンプ・ユニット１４およびキャニスター・ユニット１６のそれぞれの真空チャネル２６は、ポンプ・ユニット１４がキャニスター・ユニット１６に取り付けられているときに、互いと流体連通している。ポンプ１８によって生成される真空に起因して、空気は、キャニスター４２から真空チャネル２６の中へ吸い込まれる。
【０１０９】
キャニスター・ユニット１６は、アスピレーション・ホース４６をさらに含む。図１では、アスピレーション・ホース４６は、動作状態になっており、すなわち、キャニスター・ユニット１６から分離されている。使用の前に（および、使用の後に）、アスピレーション・ホース４６は、たとえば、１つまたは複数のクリップによって、キャニスター・ユニット１６の外部に取り付けられる。動作状態では、アスピレーション・ホース４６は、患者からキャニスター４２の中へ分泌物を吸引するために使用される。
【０１１０】
キャニスター・ユニット１６は、使い捨てである。図１では、キャニスター・ユニット１６のすべてのコンポーネントは、プラスチックから作製されている。しかし、１つまたは複数の代替的な使い捨ての材料も使用される。
【０１１１】
医療用アスピレーター１０の吸引動作の後に、カップリング・メカニズム３６は、ポンプ・ユニット１４およびキャニスター・ユニット１６をモーター・ユニット１２から除去するために切り離される。したがって、ポンプ・ユニット１４およびキャニスター・ユニット１６は、廃棄される。結果的に、これらのパーツの中に収集された任意の感染性因子が、医療用アスピレーター１０の残りの部分から安全に除去される。
【０１１２】
ピストン・ロッド２４は、ポンプ１８の動作中に直線的に往復運動するので、ピストン２２も、チューブ状の部材２０の中で直線的に往復運動する。それによってチューブ状の部材２０は、ピストン・ロッド２４およびピストン２２の角度変化を可能にするために、ピストン２２の周りにクリアランスを必要としない。結果として、許容差に関する要件が低減され、チューブ状の部材２０は、よりコンパクトにされる。
【０１１３】
さらに図１を参照すると、ポンプ１８が可撓性の膜４８を含むことが見て取れる。膜４８は、代替的に、ダイヤフラムと称される。膜４８は、ピストン・ロッド２４に固定して密封して取り付けられており、ピストン・ロッド２４の直線的な往復運動にしたがう。また、膜４８は、チューブ状の部材２０に対して、固定して密封して取り付けられている。図示されてはいないが、膜４８は、チューブ状の部材２０に直接固定して密封して取り付けられてもよい。膜４８は、ポンプ１８の１つの領域（すなわち、図１の右側壁部の一部）を密閉している。図１では、膜４８は、ＰＴＦＥプラスチックから作製されており、したがって、これも使い捨てである。
【０１１４】
ピストン・ロッド２４は、チューブ状の部材２０に対して直線的に往復運動するので、ピストン・ロッド２４と膜４８との間の接続は、ピストン・ロッド２４の横方向（往復運動する方向に対して垂直である）に移動しない。換言すれば、ポンプ１８の動作中に膜４８に作用する横方向の力は、低減または省略される。これは、より簡単な設計（たとえば、より弱い膜４８を使用する可能性）、および、低減された膜４８の寸法決めの可能性を開く。膜４８の中のガルバニック絶縁は、当然のことながら、非導電性材料のピストン・ロッド２４の提供に依存している。
【０１１５】
膜４８およびピストン・ロッド２４の構成に起因して、汚染物質が膜４８を通過するリスクが低減または排除される。したがって、ガルバニック・バリアとしての膜４８の機能が改善される。膜４８は、第２のガルバニック・バリアを構成すると言うこともできる。膜４８を含む図１のポンプ１８は使い捨てであるが、本開示によるガルバニック・バリアとして膜４８を使用する概念は、恒久的に取り付けられたポンプ１８を備えた医療用アスピレーター１０に関しても用いられる。
【０１１６】
図１のモーター・ユニット１２は、駆動メカニズム４０およびモーター３８に加えて、配電ユニット５０、制御ユニット５２、ユーザー・インターフェース５４、および紫外線光源５６を含む。配電ユニット５０は、メイン電源５８から電力を提供される。図１では、モーター・ユニット１２は、ハウジングとして実装されている。
【０１１７】
医療用アスピレーター１０が遠隔の場所に、たとえば、救急車から距離のある事故現場に運搬されるべきケースでは、モーター・ユニット１２は、メイン電源５８から切り離される。したがって、メイン電源５８は、建物からのまたは車両からの電源とすることができる。
【０１１８】
配電ユニット５０は、２つのバッテリー６０を含む。それぞれのバッテリー６０は、モーター３８を駆動するために、駆動電流をモーター３８に供給するように構成されている。図１では、バッテリー６０は、鉛酸バッテリーである。
【０１１９】
配電ユニット５０は、それぞれのバッテリー６０に関連付けられた２つのリレー６２をさらに含む。それぞれのリレー６２は、許容状態と非許容状態との間で切り替え可能である。リレー６２の許容状態では、メイン電源５８からの電荷は、それぞれのバッテリー６０へ通ることを許容されている。リレー６２の非許容状態では、メイン電源５８からの電荷は、それぞれのバッテリー６０へ通ることを許容されない。リレー６２は、互いからガルバニックに分離されており、すなわち、それらの間の電気的な接続が防止されている。
【０１２０】
制御ユニット５２は、駆動電流をモーター３８に交互に供給するように２つのバッテリー６０を制御するように構成された電子制御ユニットである。たとえば、制御ユニット５２は、バッテリー６０のうちのどちらが駆動電流をモーター３８に提供するべきであるかということを示す信号を、配電ユニット５０に送ることができる。制御ユニット５２は、所定の時間の後に、または、現在モーター３８を駆動しているバッテリー６０が放電されたかまたはほぼ放電されたときに、バッテリー６０に供給する駆動電流を切り替えることができる。
【０１２１】
そのうえ、２つのリレー６２に制御信号を送り、それらの切り替え状態を制御することによって、制御ユニット５２は、現在モーター３８に駆動電流を供給しているバッテリー６０のリレー６２が非許容状態をとるように、および、モーター３８に駆動電流を供給していない他方のバッテリー６０のリレー６２が許容状態をとるように、リレー６２を制御するように構成されている。このようにすると、モーター３８は、決してメイン電源５８に電気的に接続されることがない。したがって、２つのリレー６２は、第３のガルバニック・バリアを形成しており、医療用アスピレーター１０によって治療されている患者の安全、および、医療用アスピレーター１０のオペレーターの安全が増加される。
【０１２２】
駆動電流をモーター３８に供給しておらず、その対応するリレー６２が許容状態になっているバッテリー６０が、（医療用アスピレーター１０がメイン電源５８に接続されているときに）メイン電源５８によって充電されている。したがって、制御ユニット５２によるバッテリー６０のこの制御によって、一方のバッテリー６０は、他方のバッテリー６０が充電されているときに、駆動電流をモーター３８に供給する。
【０１２３】
図１では、モーター３８は、駆動電流に比例する回転モーメントを提供するように構成されたＢＬＤＣモーターである。真空ポンプ１８によって生成される真空は、モーター３８の駆動電流に比例するので、駆動電流は、生成される真空を示している。制御ユニット５２は、検出された、生成された真空に基づいて、（たとえば、配電ユニット５０を介して）モーター３８を制御するように構成されている。それによって、真空ポンプ１８によって生成される真空は、簡単で信頼性の高い様式で制御される。追加的に、医療用アスピレーター１０の中の従来の機械的な真空調整器は、回避されるか、または、単に相補的な様式で使用される。
【０１２４】
図２ａおよび図２ｂは、さらなる医療用アスピレーター１０を概略的に示している。図１に対する相違が主に説明される。
【０１２５】
図２ａおよび図２ｂの医療用アスピレーター１０は、ポンプ・ユニット１４、キャニスター・ユニット１６、およびモーター・ユニット１２を含む。したがって、ポンプ・ユニット１４は、モーター・ユニット１２のモーター３８によって駆動される真空ポンプ１８を含む。
【０１２６】
ポンプ・ユニット１４は、可撓性のエンクロージャー６４をさらに含む。図２ａにおいて見ることができるように、可撓性のエンクロージャー６４は、モーター・ユニット１２を囲むように構成されており、また、それによって、医療用アスピレーター１０の吸引動作中に、モーター・ユニット１２の周りに細菌シールドを提供するように構成されている。したがって、大気の中の、または、オペレーターの手／グローブの上の感染性因子は、モーター・ユニット１２に直接張り付かない。図２ａでは、可撓性のエンクロージャー６４は、準備モードまたは動作モードになっている。
【０１２７】
吸引動作の完了の後に、可撓性のエンクロージャー６４は、図２ｂに図示されているように、ポンプ・ユニット１４の周りに細菌シールドを提供するように反転させられる（すなわち、「裏返し」にされる）。この状態において、準備モードにおいて可撓性のエンクロージャー６４の外側に以前に収集された感染性因子が、それによって、可撓性のエンクロージャー６４の中に（たとえば、可撓性のエンクロージャー６４の内側に）収集および捕捉される。図２ｂの可撓性のエンクロージャー６４の状態は、処分モードと称される。
【０１２８】
したがって、可撓性のエンクロージャー６４をこのように反転または切り替えることによって、可撓性のエンクロージャー６４は、最初に、準備モード（図２ａ）においてモーター・ユニット１２を保護することができ、次いで、処分モード（図２ｂ）において、ロジスティクスおよび処分に従事しているオペレーターおよび他の人員を、感染性因子および／または分泌物から保護することができる。ポンプ・ユニット１４および可撓性のエンクロージャー６４は、それによって、使い捨ての構成体を構成し、ここで、ポンプ・ユニット１４は、第１の使い捨てのパーツを構成し、モーター・ユニット１２は、第２のパーツを構成し、第１の使い捨てのパーツは、第２のパーツに接続できる。
【０１２９】
可撓性のエンクロージャー６４は、可撓性であるとして説明されている。その理由は、それが反転できるからであり、すなわち、可撓性のエンクロージャー６４が、いくつかのまたはすべての領域で曲げられることができるからである。可撓性のエンクロージャー６４は、伸縮性であってもよく、または、伸縮性でなくてもよい。
【０１３０】
図２ｂにおいて見ることができるように、処分モードにおける可撓性のエンクロージャー６４は、また、ポンプ・ユニット１４に加えて、キャニスター・ユニット１６の周りに細菌シールドを提供する。また、キャニスター・ユニット１６のアスピレーション・ホース４６が、処分モードにおいて、可撓性のエンクロージャー６４の中に捕獲される。また、オペレーターは、ポンプ・ユニット１４およびキャニスター・ユニット１６の周りに可撓性のエンクロージャー６４を閉じる前に、使用済みのグローブおよび他の廃棄物を可撓性のエンクロージャー６４の中に投入することができる。
【０１３１】
可撓性のエンクロージャー６４の準備モードにおいて、図２ａに図示されているように、可撓性のエンクロージャー６４がモーター・ユニット１２を囲んでいるときに、ユーザー・インターフェース５４は、たとえば、可撓性のエンクロージャー６４の上を押すことによって、可撓性のエンクロージャー６４を通して操作される。
【０１３２】
上記に説明されたようにポンプ１８が膜４８を含むケースでは、膜４８および可撓性のエンクロージャー６４は、１つの連続的なパーツとして一体的に形成される。膜４８および可撓性のエンクロージャー６４は、さらに、同じ材料から形成される。
【０１３３】
図２ａおよび図２ｂでは、可撓性のエンクロージャー６４は、プラスチック・バッグである。可撓性のエンクロージャー６４は、開閉可能な開口部６６をさらに含み、それは、ここではジップ・ロックとして実装されている。それによって、開口部６６が閉条件になっているときには、流体密封のシールが、場合によっては、閉じた開口部６６および可撓性のエンクロージャー６４によって、（準備モードにおいて）モーター・ユニット１２の周りに確立され、または、（処分モードにおいて）ポンプ・ユニット１４およびキャニスター・ユニット１６の周りに確立される。可撓性のエンクロージャー６４はプラスチック・バッグであるので、対応する気密エンクロージャーも確立される。
【０１３４】
開条件において、開口部６６は、モーター・ユニット１２がそれを通過するのに十分に大きく、また、ポンプ・ユニット１４およびキャニスター・ユニット１６がそれを通過するのに十分に大きい。したがって、開条件における開口部６６は、可撓性のエンクロージャー６４が準備モードから処分モードへ反転させられることを可能にする。
【０１３５】
図３ａは、本開示による医療用アスピレーター１０において使用するための駆動メカニズム４０を概略的に表している。駆動メカニズム４０は、第１のアーム６８および第２のアーム７０を含む。図３ａでは、アーム６８、７０は、剛性ロッドによって構成されている。第１のアーム６８は、枢動点７２の周りで、第２のアーム７０に枢動可能に接続されている。
【０１３６】
駆動メカニズム４０は、ガイド構成体７４をさらに含む。図３ａでは、ガイド構成体７４は、リニア軸受として現実化されている。ガイド構成体７４は、矢印７６によって示されているように、第１のアーム６８の直線的な往復移動を摺動可能に支持している。
【０１３７】
図３ａでは、カップリング・メカニズム３６は、ピストン・ロッド２４と第１のアーム６８との間に、取り外し可能な剛性カップリングを提供している。したがって、ピストン・ロッド２４および第１のアーム６８は、単一の剛性構造体として一緒に移動する。
【０１３８】
モーター３８は、その回転するモーター・シャフトの上に偏心体７８を含む。しかし、偏心体７８は、代替的に、たとえば、中間ベルト伝動によって、このモーター・シャフトから分離されてもよい。図３ａの第２のアーム７０は、モーター・シャフトの回転軸線に対してオフセットされた枢動点８０において、偏心体７８に回転可能に接続されている。したがって、第２のアーム７０は、偏心ロッドを構成している。
【０１３９】
また、図３ａに示されているように、カップリング・メカニズム３６は、代替的に、駆動メカニズム４０の第２のアーム７０と偏心体７８との間に取り付けられてもよい。カップリング・メカニズム３６がこのポイントに設けられているケースでは、ピストン・ロッド２４および第１のアーム６８は、一体的に形成され（すなわち、これらのパーツの間のカップリング・メカニズム３６が省略される）、駆動メカニズム４０が使い捨てとすることができる。
【０１４０】
図３ｂは、本開示による医療用アスピレーター１０において使用するためのさらなる駆動メカニズム４０を概略的に表している。図３ａに関する相違が主に説明される。
【０１４１】
この駆動メカニズム４０は、往復運動方向７６に対して実質的に垂直に延在するトラック８４を備えたトラック部材８２を含む。ピン８６が、偏心体７８の上に設けられており、トラック８４の中にガイド可能に受け入れられている。ピン８６は、モーター・シャフトの回転軸線に対して、偏心体７８の上でオフセットされて配置されている。
【０１４２】
トラック部材８２は、フレーム８８の中で直線的にガイドされる。フレーム８８は、２つの内向きに面する溝部（図示せず）を含み、その中に、トラック部材８２の外側部が受け入れられている。
【０１４３】
図３ｂにおいて見ることができるように、カップリング・メカニズム３６は、代替的に、ピン８６の領域の中に設けられてもよい。したがって、また、トラック部材８２は、使い捨てとすることができる。トラック部材８２は、駆動メカニズム４０によってポンプ１８を駆動するために、ピン８６の上にスナップ・フィットされ、フレーム８８の中に係合される。吸引動作が完了したときに、トラック部材８２は、ピン８６から持ち上げて外され、（新しいポンプ１８の）新しいトラック部材８２が、それに接続される。このケースでは、ピストン・ロッド２４とトラック部材８２との間のカップリング・メカニズム３６が省略される。したがって、ピストン・ロッド２４は、トラック部材８２と一体的に形成される。
【０１４４】
図４は、空気流の中の感染性因子を非活性化させるための構成体９０を概略的に表している。また、構成体９０は、流体流の中の感染性因子を非活性化させるためにも使用される。空気流は、医療用アスピレーター１０の中の空気流としてもよく、たとえば、図１の真空チャネル２６などの中の空気流としてもよいし、ポンプ・ユニット１４またはキャニスター・ユニット１６のいずれかの中の空気流としてもよい。
【０１４５】
図４の構成体９０は、したがって、空気流をガイドするためのチャネル２６を含み、また、紫外線光源５６をさらに含む（図１では、紫外線光源５６は、モーター・ユニット１２の外部に設けられている）。チャネル２６は、紫外線光に対して透過性の材料、このケースでは、プラスチック材料によって構成されている。紫外線光源５６は、ＬＥＤ光源によって構成されている。
【０１４６】
紫外線光源５６は、光源５６からの紫外線光がチャネル２６の処理セクション９２（図４の中の点線によって示されている）に導かれるように、チャネル２６に隣接配置されている。空気流を１つの方向にガイドする複数のチャネル・セグメント９４、および、空気流を異なる方向（このケースでは、反対側方向）にガイドする複数のチャネル・セグメント９６が処理セクション９２の中に配置されるように、チャネル２６は配置されている。それぞれのチャネル・セグメント９４、９６は、複数の湾曲部によって相互接続されている。
【０１４７】
紫外線光源５６は、２００ｎｍから２８０ｎｍの波長、たとえば、２５０ｎｍから２８０ｎｍの波長など、たとえば、２６５ｎｍの波長を有する、ＵＶタイプＣ（ＵＶＣ）を提供するように構成される。２５０ｎｍから２８０ｎｍのＵＶＣ範囲の中の放射は、それらのＤＮＡを攻撃することによって、細菌、ウィルス、および他の感染性因子を不活性化させる。
【０１４８】
それぞれの感染性因子は、非活性化されるために特定の線量のＵＶＣを必要とする。ＵＶ線量（Ｊ／ｍ２）は、ＵＶ強度（ｍＷ／ｃｍ２）に露出時間（ｓ）を乗算することによって計算される。特定の程度の殺菌に必要とされる予測可能な線量は、「ｌｏｇ減少」、すなわち、対数減少と称される。１ｌｏｇの減少および２ｌｏｇの減少は、感染性因子の９０％減少および９９％減少にそれぞれ対応している。それぞれの感染性因子は、さまざまなｌｏｇ非活性化に到達するために必要とされる線量を示す特定の線量−反応曲線にさらに関連付けられている。
【０１４９】
ＵＶ強度は、光源５６と処理セクション９２との間で変化する（典型的には、減少する）可能性があるので、光源における最終的なＵＶ強度は、たとえば、非活性化される感染性因子の１つまたは複数のタイプ、線量、ｌｏｇ減少、線量−反応関係、空気（または、流体）流の速度、光源パワーおよび広がり角、どのように光が広がるかなどのようなパラメーターを考慮に入れることによって計算される。目標は、望まれるｌｏｇ減少結果を実現するために十分な線量に空気流をさらさせることである。
【０１５０】
図４による設計によって、チャネル２６は、処理セクション９２の中にコンパクトに配置される。したがって、処理セクション９２のサイズが低減される。そのうえ、空気流は処理セクション９２の中の細長い距離に沿ってトラベルするので、紫外線光に対する露出が増加させられる。しかし、チャネル２６の配置は、渦巻きパターン、コイル・パターン、らせんパターン、または、他の任意のパターンとして形成されているチャネル２６を含む、他の設計によって、処理セクション９２の中にコンパクトに配置される。したがって、幅広い範囲の設計が、制限されたエリアの中で、大きい体積の空気をＵＶ放射にさらすために使用される。
【０１５１】
図５ａは、閉位置になっているパーティション部材９８を備えた２ステージ式キャニスター４２を概略的に表しており、図５ｂは、排出位置になっているパーティション部材９８を備えた図５ａの２ステージ式キャニスター４２を概略的に表している。
【０１５２】
キャニスター４２は、本開示による医療用アスピレーター１０とともに使用される。たとえば、キャニスター４２は、キャニスター・ユニット１６の中に含まれる。キャニスター・ユニット１６は、ポンプ・ユニット１４に恒久的に取り付けられるか、または、ポンプ・ユニット１４に取り外し可能に取り付けることができる。
【０１５３】
２ステージ式キャニスター４２は、第１の貯蔵部１００および第２の貯蔵部１０２を含み、それらは、図１では、２つのシリンダーの形態のチューブ状の部材として実装されている。第１の貯蔵部１００および第２の貯蔵部１０２は、代替的に、第１のチャンバーおよび第２のチャンバーとそれぞれ称され、または、第１ステージのキャニスターおよび第２ステージのキャニスターとそれぞれ称される。
【０１５４】
第２の貯蔵部１０２は、第１の貯蔵部１００よりも大きい体積を有している。第１の貯蔵部１００は、おおよそ３００ｍｌの体積を有しており、第２の貯蔵部１０２は、おおよそ７００ｍｌの体積を有している。この実装形態では、第１の貯蔵部１００および第２の貯蔵部１０２は、使い捨てのプラスチックから作製されている。
【０１５５】
アスピレーション・ホース４６および真空チャネル２６は、第１の貯蔵部１００の上部に隣接して取り付けられている。アスピレーション・ホース４６は、第１の貯蔵部１００の入口部１０４に取り付けられており、真空チャネル２６は、第１の貯蔵部１００の出口部１０６に取り付けられている。アスピレーション・ホース４６は、上記に説明されているように、第１の貯蔵部１００の中へ患者分泌物を吸引するために使用される。真空チャネル２６は、上記に説明されているように、ポンプ１８によって第１の貯蔵部１００の中に真空を確立するために使用される。同様に上記に説明されているように、フィルター（図示せず）が真空チャネル２６の中に設けられてもよい。
【０１５６】
図１では、パーティション部材９８は、第１の貯蔵部１００の内径よりも大きい外径を有する閉鎖ピストン１１０を備えたピストン・ロッド１０８として実装されている。図示されているパーティション部材９８の閉位置において、閉鎖ピストン１１０は、第１の貯蔵部１００の下側リムに対して当接することによって、第２の貯蔵部１０２に対して第１の貯蔵部１００を密閉している。したがって、パーティション部材９８は、第１の貯蔵部１００の中に吸引された流体１１２を維持するように構成されている。
【０１５７】
図５ａのパーティション部材９８の閉位置では、第２の貯蔵部１０２は、第１の貯蔵部１００から機能的に隔離されており、ポンプ１８を稼働させたときに、真空が、第２の貯蔵部１０２の中ではなく、第１の貯蔵部１００の中に生成されるようになっている。換言すれば、２ステージ式キャニスターの中の真空構築に有効な体積は、単に、第１の貯蔵部１００の体積（おおよそ３００ｍｌ）によって構成される。この有効体積が低減されるので、アスピレーション・ホース４６によって患者から流体および分泌物を吸引するのに十分な真空を確立するための時間が短縮される。
【０１５８】
図５ａに図示されているように、第１の貯蔵部１００は、アスピレーション・ホース４６を通して患者から吸引された流体１１２によって充填されている。第１の貯蔵部１００の中の流体１１２を第２の貯蔵部１０２に排出させるために、パーティション部材９８は、図５ａに図示されている閉位置から図５ｂに図示されているような排出位置へ移動させられる。移動は、図５ｂの中の矢印１１４によって図示されている。閉鎖ピストン１１０を第１の貯蔵部１００の下側リムから下に下げることによって、第１の貯蔵部１００と第２の貯蔵部１０２との間の流体連通が確立され、流体１１２が、重力によって第１の貯蔵部１００から第２の貯蔵部１０２へ排出されるようになっている。
【０１５９】
ピストン・ロッド１０８は、第１の貯蔵部１００の外部を通って延在しているので、第１の貯蔵部１００の外側に延在するピストン・ロッド１０８の一部が、オペレーターによって作動させられ、パーティション部材９８を閉位置から排出位置へ（および、後述される逆の方向に）操縦することができる。したがって、ピストン・ロッド１０８は、ハンドルも構成している。
【０１６０】
また、流体連通は、一方では第１の貯蔵部１００の入口部１０４および出口部１０６と、他方では第２の貯蔵部１０２との間に確立される。したがって、パーティション部材９８が、図５ｂに図示されているような排出位置をとるときには、真空構築の観点から２ステージ式キャニスターの有効体積は、より大きい体積、すなわち、第１の貯蔵部１００および第２の貯蔵部１０２の両方の体積（この実装形態では、おおよそ１０００ｍｌ）によって構成される。
【０１６１】
この実装形態では、第１の貯蔵部１００だけでなく、第２の貯蔵部１０２も、低減された圧力、すなわち、真空構築に耐えるように寸法決めされている。例として、第１の貯蔵部１００および第２の貯蔵部１０２の両方が、剛性プラスチックから作製される。結果的に、図５ｂによる排出位置にパーティション部材９８を維持することによって、２ステージ式キャニスター４２は、「１ステージ式キャニスター」として動作し続けることができる。すなわち、その後の吸引動作は、第１の貯蔵部１００および第２の貯蔵部１０２の両方によって形成された大きい連続的な体積で実施される。
【０１６２】
低減された体積で２ステージ式キャニスター４２を再び稼働させることが必要とされないケースでは、パーティション部材９８が図５ａの閉位置から図５ｂの排出位置へ不可逆的に移動可能に構成されることができる。これは、たとえば、使い捨ての２ステージ式キャニスター４２に関して、簡単な設計および／または製造手順を提供するために、有用である可能性がある。例として、弱い（たとえば、プラスチックの）カップリングが、最初に第１の貯蔵部１００と閉鎖ピストン１１０との間に設けられており、これらのパーツを一緒に保持し、すなわち、パーティション部材９８を閉位置に維持することができる。ピストン・ロッド１０８を下向きに押すことによって、プラスチック・カップリングは、（不可逆的に）破壊し、パーティション部材９８が排出位置へ移動することを可能にする。
【０１６３】
このプラスチック・カップリングは、（第２の貯蔵部１０２が透明な材料から作製されているケースでは）可視シールを形成することができる。したがって、可視シールが破壊されていない場合には、流体１１２が第２の貯蔵部１０２に進入していないということが保証される。このケースでは、第１の貯蔵部１００だけが交換される。また、シールは、流体１１２によって接触されているときに色が変化する材料を含むことができる。それによって、破壊されたシールの視覚的指示がさらに改善される。
【０１６４】
図５ａおよび図５ｂによる２ステージ式キャニスター４２は、以下のように動作させられる。パーティション部材９８が閉位置（図５ａ）にある状態で、ポンプが、第１の貯蔵部１００の中へ流体１１２を吸引するように始動させられる。したがって、２ステージ式キャニスター４２は、より低い体積（第１の貯蔵部１００だけ）で使用される。
【０１６５】
第１の貯蔵部１００が排出されるべきときには、パーティション部材９８が、排出位置（図５ｂ）へと下げられ、重力によって第２の貯蔵部１０２の中へ流体１１２を排出させる。ポンプは、第２の貯蔵部１０２が活性化されているときに、稼働し続けることができる。ここで、２ステージ式キャニスター４２は、より高い体積で使用され、すなわち、ポンプは、ここで、第１の貯蔵部１００および第２の貯蔵部１０２の両方の中へ流体１１２を吸い込む。したがって、第１の貯蔵部１００の中へ吸い込まれる流体１１２は、第２の貯蔵部１０２の中へ連続的に排出される。
【０１６６】
図６ａは、閉位置になっているパーティション部材９８を備えたさらなる２ステージ式キャニスター４２を概略的に表しており、図６ｂは、排出位置になっているパーティション部材９８を備えた図６ａの２ステージ式キャニスター４２を概略的に表しており、図６ｃは、パーティション部材９８が再び閉位置になっている状態の図６ａおよび図６ｂの２ステージ式キャニスター４２を概略的に表している。図５ａおよび図５ｂに対する相違が主に説明される。
【０１６７】
図６ａ、図６ｂ、および図６ｃにおいて、第１の貯蔵部１００から第２の貯蔵部１０２へ流体１１２を排出させるための手順は、図５ａおよび図５ｂに関連して説明されている手順に実質的に対応している。しかし、図６ｃに図示されているように、パーティション部材９８は、図６ｂの排出位置から図６ｃの閉位置へも移動可能である。移動は、図６ｃの中の矢印１１６によって図示されている。
【０１６８】
パーティション部材９８が排出位置から閉位置へ移動可能であるすべての変形例に関して、パーティション部材９８は、閉位置に向けて付勢される。これは、たとえば、適切なスプリング構成体によって現実化される。したがって、パーティション部材９８は、オペレーターによって押され、閉位置から排出位置へ移動することができる（方向１１４）。パーティション部材９８が反対側方向（方向１１６）に移動するとき、パーティション部材９８は、単純に解放され、パーティション部材９８に対する付勢作用が、パーティション部材９８を排出位置から閉位置へ移動させる役割を果たす。
【０１６９】
したがって、パーティション部材９８は、この実装形態では、閉位置（図６ａおよび図６ｃ）と排出位置（図６ｂ）との間で可逆的に移動可能である。それによって、２ステージ式キャニスター４２は、低減された体積（すなわち、パーティション部材９８が閉位置になっている状態）によって繰り返し稼働することができ、繰り返される稼働の間に１つまたはいくつかの空にする手順（すなわち、パーティション部材９８が排出位置になっている状態）を有する。
【０１７０】
キャニスター４２が低減された体積だけで稼働されるケースでは、第２の貯蔵部１０２の寸法が低減される（たとえば、図５ａおよび図５ｂの第２の貯蔵部１０２よりも弱いプラスチックから作製される）。その理由は、第２の貯蔵部１０２は、真空構築の間に、低減された圧力に耐える必要がないからである。これは、より簡単な設計の可能性を開き、第２の貯蔵部１０２は、大気圧力に耐えられるように寸法決めされればよい。
【０１７１】
しかし、図６ａ、図６ｂ、および図６ｃの第２の貯蔵部１０２は、代替的に、図５ａおよび図５ｂの第２の貯蔵部１０２と同じ剛性材料から作製され、すなわち、真空構築に耐えるように寸法決めされる。このように、２ステージ式キャニスター４２は、２つの異なる有効体積で繰り返して稼働される。
【０１７２】
図６ａ、図６ｂ、および図６ｃによる２ステージ式キャニスター４２は、以下のように動作させられる。パーティション部材９８が閉位置（図６ａ）にある状態で、ポンプが、第１の貯蔵部１００の中へ流体１１２を吸引するように始動させられる。したがって、２ステージ式キャニスター４２は、より低い体積（第１の貯蔵部１００だけ）によって使用される。
【０１７３】
第１の貯蔵部１００が排出されるべきときには、ポンプが停止され、パーティション部材９８が、排出位置（図６ｂ）へと下げられ、重力によって第２の貯蔵部１０２の中へ流体１１２を排出させる。流体１１２を排出させた後に、パーティション部材９８は、たとえば、スプリング構成体によって、閉位置（図６ｃ）へ移動させられて戻される。パーティション部材９８が閉位置をとったときに、ポンプが改めて始動させられ、より低い体積（第１の貯蔵部１００だけ）による吸引サイクルが始動させられる。
【０１７４】
代替的に、流体１１２が第２の貯蔵部１０２の中へ排出された後に、パーティション部材９８は、排出位置（図６ｂ）に維持され、ポンプが改めて始動させられ、より高い体積（第１の貯蔵部１００および第２の貯蔵部１０２の両方による）による吸引サイクルが始動させられる。このケースでは、スプリング構成体が省略され、または、パーティション部材９８を排出位置にロックするためのロッキング・メカニズムが設けられる。
【０１７５】
図７ａは、閉位置になっているパーティション部材９８を備えたさらなる２ステージ式キャニスター４２を概略的に表しており、図７ｂは、排出位置になっているパーティション部材９８を備えた図７ａの２ステージ式キャニスター４２を概略的に表しており、図７ｃは、パーティション部材９８が再び閉位置になっている状態の図７ａおよび図７ｂの２ステージ式キャニスター４２を概略的に表している。図５ａ、図５ｂ、図６ａ、図６ｂ、および図６ｃに対する相違が主に説明される。
【０１７６】
図７ａ、図７ｂ、および図７ｃの実装形態では、第２の貯蔵部１０２は、可撓性の材料、たとえば、軟質プラスチック・バッグまたはベローズなどから作製されている。第２の貯蔵部１０２の材料は、追加的に、伸縮性とすることができる。
【０１７７】
図７ａに図示されているようなパーティション部材９８の閉位置において、第２の貯蔵部１０２は空になっている。第２の貯蔵部１０２の材料の可撓性（および、任意で伸縮性）に起因して、第２の貯蔵部１０２によって占有されるスペースが低減される。
【０１７８】
第２の貯蔵部１０２は可撓性であるので、それは、真空生成の間の低減された圧力に耐えるのには適切でない。したがって、図７ａ、図７ｂ、および図７ｃの２ステージ式キャニスター４２によって、パーティション部材９８は、真空生成の間に閉位置に保持される。
【０１７９】
パーティション部材９８を（方向１１４に）下げることによって、第１の貯蔵部１００から第２の貯蔵部１０２へ流体１１２を排出させた後に、パーティション部材９８は、（方向１１６）に上昇させられ、再び閉位置をとる。２度目の第１の貯蔵部１００の内側の真空生成の間に、第１のサイクルからの流体１１２が、第２の貯蔵部１０２の内側に維持され、それは、それによって、増加した体積を占有する。
【０１８０】
図７ａ、図７ｂ、および図７ｃによる２ステージ式キャニスター４２は、以下のように動作させられる。パーティション部材９８が閉位置（図７ａ）にある状態で、ポンプが、第１の貯蔵部１００の中へ流体１１２を吸引するように始動させられる。したがって、２ステージ式キャニスター４２は、低減された体積（第１の貯蔵部１００だけ）によって使用される。
【０１８１】
第１の貯蔵部１００が排出されるべきときには、ポンプが停止され、パーティション部材９８が、排出位置（図７ｂ）へと下げられ、重力によって第２の貯蔵部１０２の中へ流体１１２を排出させる。第２の貯蔵部１０２は、流体１１２が第２の貯蔵部１０２に進入するときに、流体１１２の重量に起因して膨張する。それに加えて、パーティション部材９８を下げるときに、閉鎖ピストン１１０は、可撓性の第２の貯蔵部１０２を膨張させるのを助けることができる。
【０１８２】
新しい吸引サイクルが始動させられるべきときに、パーティション部材９８は、排出位置（図７ｂ）から閉位置（図７ｃ）へ移動させられる。パーティション部材９８が閉位置をとり、第２の貯蔵部１０２に対して第１の貯蔵部１００を密閉すると、ポンプが再び始動させられ、次の吸引サイクルを開始させる。
【０１８３】
図８ａは、閉位置になっているパーティション部材９８を備えたさらなる２ステージ式キャニスター４２を概略的に表しており、図８ｂは、排出位置になっているパーティション部材９８を備えた図８ａの２ステージ式キャニスター４２を概略的に表しており、図８ｃは、パーティション部材９８が再び閉位置になっている状態の図８ａおよび図８ｂの２ステージ式キャニスター４２を概略的に表している。図５ａ、図５ｂ、図６ａ、図６ｂ、図６ｃ、図７ａ、図７ｂ、および図７ｃに対する相違が主に説明される。
【０１８４】
図８ａ、図８ｂ、および図８ｃのパーティション部材９８は、押圧ピストン１１８をさらに含む。押圧ピストン１１８は、ピストン・ロッド１０８の上に設けられており、また、第１の貯蔵部１００の内部表面に沿って密封して摺動するように配置されている。図８ａにおいて見ることができるように、パーティション部材９８が閉位置にあるときに、押圧ピストン１１８は、入口部１０４および出口部１０６の上方の第１の貯蔵部１００の上側領域の中に配置されている。それによって、第１の貯蔵部１００の内側の押圧ピストン１１８と閉鎖ピストン１１０との間に形成されたスペースは、真空構築にさらされる。
【０１８５】
図８ｂに図示されるような排出位置へパーティション部材９８を方向１１４に下げることによって、第１の貯蔵部１００の内側の流体および分泌物１１２は、押圧ピストン１１８によって第２の貯蔵部１０２へ押し下げられる。それによって、流体および分泌物１１２が重力によって第２の貯蔵部１０２に落下しないケースでは、押圧ピストン１１８が、これらを第２の貯蔵部１０２の中へ押し込む。このように、粘性流体および／または分泌物１１２は、より確実に第２の貯蔵部１０２の中へ排出される。図８ａ、図８ｂ、および図８ｃから推測されるように、閉位置（図８ａ、図８ｃ）においても、排出位置（図８ｂ）においても、パーティション部材９８の任意の中間位置においても、入口部１０４／出口部１０６と第２の貯蔵部１０２との間に流体連通は確立されない。
【０１８６】
図８ａ、図８ｂ、および図８ｃによる２ステージ式キャニスター４２は、以下のように動作させられる。パーティション部材９８が閉位置（図８ａ）にある状態で、ポンプが、第１の貯蔵部１００の中へ流体１１２を吸引するように始動させられる。すなわち、第１の貯蔵部１００の内側の押圧ピストン１１８と閉鎖ピストン１１０との間のスペースの中へ、流体１１２を吸引するように始動させられる。したがって、２ステージ式キャニスター４２は、低減された体積（第１の貯蔵部１００の中の押圧ピストン１１８と閉鎖ピストン１１０との間のスペースだけ）によって使用される。
【０１８７】
第１の貯蔵部１００が排出されるべきときには、ポンプが停止され、パーティション部材９８が、排出位置（図７ｂ）へと下げられ、重力によって第２の貯蔵部１０２の中へ流体１１２を排出させ、また、同時に、押圧ピストン１１８によって流体／分泌物１１２を第２の貯蔵部１０２の中に押し込む。第２の貯蔵部１０２は、流体１１２が第２の貯蔵部１０２に進入するときに、流体１１２の重量に起因して膨張する。それに加えて、パーティション部材９８を下げるときに、閉鎖ピストン１１０は、可撓性の第２の貯蔵部１０２を膨張させるのを助けることができる。
【０１８８】
新しい吸引サイクルが始動させられるべきときに、パーティション部材９８は、排出位置（図８ｂ）から閉位置（図８ｃ）へ移動させられる。パーティション部材９８が、閉位置をとり、第２の貯蔵部１０２に対して第１の貯蔵部１００を密閉し、かつ、押圧ピストン１１８が入口部１０４および出口部１０６の上方に位置決めされると、ポンプが再び始動させられ、（低減された有効体積で）次の吸引サイクルを開始させる。図８ａ、図８ｂ、および図８ｃの可撓性の第２の貯蔵部１０２は、剛性の第２の貯蔵部１０２、たとえば、図６ａ、図６ｂ、および図６ｃによる第２の貯蔵部１０２と交換される。
【０１８９】
図９ａは、バルブ・メカニズム１２０が遮断位置になっている状態のアスピレーション・ホース４６を概略的に表しており、図９ｂは、バルブ・メカニズム１２０が開位置になっている状態の図９ａのアスピレーション・ホース４６を概略的に表しており、図９ｃは、バルブ・メカニズム１２０が中間位置になっている状態の図９ａおよび図９ｂのアスピレーション・ホース４６を概略的に表している。図９ａ、図９ｂ、および図９ｃのアスピレーション・ホース４６は、本開示による任意のキャニスター４２および医療用アスピレーター１０とともに使用され、患者からの体液および分泌物をキャニスター４２の中へ吸引することができる。
【０１９０】
アスピレーション・ホース４６は、メイン・チャネル１２２を含み、吸引された流体は、メイン・チャネル１２２を通って流れる。バルブ・メカニズム１２０は、メイン・チャネル１２２を上流セクション１２４および下流セクション１２６に分離している。上流セクション１２４は、アスピレーション・ホース４６の吸引開口部１２８に隣接したセクションであり、それは、流体がそこから吸引される患者エリアに接触させられるか、またはその直ぐ近くに置かれる。下流セクション１２６は、図５から図８に示されているように、キャニスター４２に、たとえば入口部１０４に、恒久的に固定されているか、または、取り外し可能に取り付け可能である。
【０１９１】
バルブ・メカニズム１２０は、図９ａでは、開口パーツ１３２および閉鎖パーツ１３４を有するバルブ部材１３０を含むものとして実装されている。図９ａの遮断位置では、バルブ部材１３０の閉鎖パーツ１３４は、メイン・チャネル１２２と位置が合わせられており、メイン・チャネル１２２が遮断されるようになっている。結果的に、上流セクション１２４の中の流体は、下流セクション１２６に進入することを防止されている。
【０１９２】
バルブ・メカニズム１２０は、アスピレーション・ホース４６の長手方向の延在方向に実質的に横断方向に延在するバルブ・メカニズム・ハウジング１３６を含む。バルブ・メカニズム・ハウジング１３６は、バルブ・メカニズム１２０の移動をガイドする。より具体的には、バルブ・メカニズム１２０のバルブ部材１３０は、バルブ・メカニズム・ハウジング１３６の内側に配置されている。
【０１９３】
付勢部材１３８は、図９ａでは、圧縮されたスプリングとして実装されており、付勢部材１３８は、バルブ・メカニズム・ハウジング１３６の内側に装着されており、バルブ・メカニズム１２０を遮断位置に維持するために、バルブ部材１３０に（矢印１４０の方向に）上向きの力を働かせることができる。したがって、バルブ・メカニズム１２０は、ノーマル・クローズ・バルブを構成している。
【０１９４】
バルブ・メカニズム１２０は、バルブ・メカニズム・ハウジング１３６の開口部を通って延在するステム１４２と、ステム１４２の上部に取り付けられたボタン１４４とをさらに含む。開口部によって構成された空気入口部１４６が、アスピレーション・ホース４６の上側（図９ａにおいて見られるように）壁部の中に形成されている。しかし、空気入口部１４６は、たとえば、親指以外の指によって塞がれるように、アスピレーション・ホース４６の代替的な側に設けられてもよい。塞がれていないときは、空気入口部１４６は、アスピレーション・ホース４６の上流セクション１２４と大気との間の流体連通を確立する。空気入口部１４６は、オペレーターによって、たとえば、親指を用いて、意図的に塞がれても、また、クリアされてもよい。たとえば、空気入口部１４６は、上流セクション１２４の中の真空を維持するために親指によって塞がれ、また、空気入口部１４６は、アスピレーション・ホース４６が患者組織に張り付き、バルブ・メカニズム１２０が遮断位置になっている場合には、この真空を解放するようにクリアされる。
【０１９５】
バルブ・メカニズム１２０は、たとえば、矢印１４８によって示されているように、ボタン１４４を押し下げることによって、図９ａの遮断位置から図９ｂの開位置へ移動させられる。したがって、バルブ・メカニズム１２０は、遮断位置と開位置との間で切り替え可能である。ボタン１４４を押し下げることによって、バルブ部材１３０は、開口パーツ１３２がアスピレーション・ホース４６のメイン・チャネル１２２と位置が合うまで、バルブ・メカニズム・ハウジング１３６の内側で下に移動する。それによって、上流セクション１２４を下流セクション１２６と流体連通させる。換言すれば、開位置にあるバルブ・メカニズム１２０は、アスピレーション・ホース４６の上流セクション１２４から下流セクション１２６へ流体を通過させる。図９ｂに図示されている開位置にバルブ・メカニズム１２０をロックするために、ロッキング・メカニズム（図示せず）が設けられてもよい。
【０１９６】
図９ｃは、図９ａの遮断位置と図９ｂの開位置との間の中間位置にあるバルブ・メカニズム１２０を図示している。図９ｃにおいて見ることができるように、バルブ・メカニズム１２０がこの中間位置をとるときに、バルブ部材１３０は、その開口パーツ１３２がメイン・チャネル１２２に対してオフセットされるように位置決めされている。それによって、上流セクション１２４と下流セクション１２６との間の流体連通は、部分的に制限される。図９ａ、図９ｂ、および図９ｃによるバルブ・メカニズム１２０によって、バルブ・メカニズム１２０のバルブ部材１３０は、バルブ部材ハウジング１３６の内側のバルブ部材１３０を移動させることによって、メイン・チャネル１２２に対する任意の制限（完全な制限から制限なしまで）を達成することができる。すなわち、複数の中間位置がバルブ・メカニズム１２０によってとられる。
【０１９７】
図１０ａは、バルブ・メカニズム１２０が遮断位置になっている状態のさらなるアスピレーション・ホース４６を概略的に表しており、図１０ｂは、バルブ・メカニズム１２０が開位置になっている状態の図１０ａのアスピレーション・ホース４６を概略的に表している。図９ａ、図９ｂ、および図９ｃに対する相違が主に説明される。
【０１９８】
図９ａ、図９ｂ、および図９ｃによる空気入口部１４６の代わりに、図１０ａのバルブ・メカニズム１２０は、上流セクション１２４と大気との間に、バルブ・メカニズム・ハウジング１３６を通る空気入口チャネル１５０を含む。図１０ａにおいて、空気入口チャネル１５０は、付勢部材１３８が設けられているバルブ・メカニズム・ハウジング１３６の下側部を通して導かれている。空気入口チャネル１５０は、空気入口部１４６で終了している。
【０１９９】
図１０ａのバルブ・メカニズム１２０の遮断位置では、閉鎖パーツ１３４が、空気入口チャネル１５０の上方に上昇させられている。したがって、空気入口チャネル１５０は、無視できるほどにしか付勢部材１３８によって塞がれていない。したがって、バルブ・メカニズム１２０が遮断位置にあるときに、上流セクション１２４は、大気と連通しているが、下流セクション１２６とは連通していない。
【０２００】
バルブ・メカニズム１２０が、図１０ａの遮断位置から図１０ｂの開位置へ操縦されるときに、バルブ部材１３０の開口パーツ１３２は、メイン・チャネル１２２と位置が合った状態に移動させられ、結果的に、上流セクション１２４を下流セクション１２６と流体連通させる。同時に、バルブ部材１３０の閉鎖パーツ１３４は、メイン・チャネル１２２と位置が合った状態から、バルブ・メカニズム・ハウジング１３６の中の下側位置へ移動させられ、そこで、それは、空気入口チャネル１５０を遮断し、大気と上流セクション１２４との間の連通が防止されるようになっている。換言すれば、バルブ・メカニズム１２０は、バルブ・メカニズム１２０が開位置にあるときに、上流セクション１２４と大気との間の流体連通が閉じられるように構成されている。
【０２０１】
図９ａ、図９ｂ、図９ｃ、図１０ａ、および図１０ｂのアスピレーション・ホース４６は、以下のように動作させられる。本明細書で説明されているように、医療用アスピレーター１０の中のモーター３８によって駆動される真空ポンプ１８によって生成される真空を制御するための方法によって、ポンプ１８は、所望の真空設定ポイントに到達したときに停止する。したがって、バルブ・メカニズム１２０が遮断位置にあるときに、アスピレーション・ホース４６の下流セクション１２６の内側の真空のレベルは、目標真空レベルに到達するまで増加する。
【０２０２】
目標真空レベルに到達したときに、ポンプ１８は停止する。したがって、アスピレーション・ホース４６は、バルブ・メカニズム１２０が遮断位置になっており、モーター３８がオフにされている状態で、患者の近くに持って行くことができる。
【０２０３】
医療的な吸引動作が開始させられるべきときに、オペレーターは、たとえば、ボタン１４４を方向１４８に下向きに押すことによって、バルブ・メカニズム１２０を作動させる。バルブ部材１３０の開口パーツ１３２が上流セクション１２４と下流セクション１２６との間の流体連通を確立するとすぐに、上流セクション１２４の内側の空気（および／または流体）は、下流セクション１２６の中へ移動する。下流セクション１２６の内側の真空レベルはそれによって減少させられるので、真空ポンプ１８が、目標真空レベルを再確立するために活性化される。
【０２０４】
オペレーターは、遮断位置、開位置、および任意の中間位置の間で、バルブ・メカニズム１２０を移動させることによって、アスピレーション・ホース４６を通る空気フローを調節することができる。したがって、バルブ・メカニズム１２０は、真空ポンプ１８用のオン／オフ・アクチュエーターとして使用されている。図９ａ、図９ｂ、および図９ｃによるアスピレーション・ホース４６が使用されるケースでは、オペレーターは、上流セクション１２４の内側の真空を維持するために、親指によって空気入口部１４６を同時に塞ぐことができる。しかし、この機能は、図１０ａおよび図１０ｂに例証されているように、バルブ・メカニズム１２０によっても制御される。
【０２０５】
吸引開口部１２８が患者に張り付くケースでは、オペレーターは、図９ａ、図９ｂ、および図９ｃの空気入口部１４６から親指を除去することができる。図１０ａおよび図１０ｂのバルブ・メカニズム１２０が使用されるケースでは、バルブ・メカニズム１２０の不活性化（たとえば、ボタン１４４の上の圧力解放）は、上流セクション１２４を大気と連通させ、上流セクション１２４の内側の真空が解放され、吸引開口部１２８が患者の目標部位から容易に除去されるようになっている。
【０２０６】
本開示は、例示的な実施形態を参照して説明されてきたが、本発明は、上記に説明されてきたものに限定されないことが認識されるべきである。たとえば、パーツの寸法は必要に応じて変化させられるということが認識されるべきである。したがって、本発明は、添付の特許請求の範囲のみによって限定されることが意図されている。
【図１】
2018526183.tif 000003
【図２ａ】
2018526183.tif 000004
【図２ｂ】
2018526183.tif 000005
【図３ａ】
2018526183.tif 000006
【図３ｂ】
2018526183.tif 000007
【図４】
2018526183.tif 000008
【図５ａ】
2018526183.tif 000009
【図５ｂ】
2018526183.tif 000010
【図６ａ】
2018526183.tif 000011
【図６ｂ】
2018526183.tif 000012
【図６ｃ】
2018526183.tif 000013
【図７ａ】
2018526183.tif 000014
【図７ｂ】
2018526183.tif 000015
【図７ｃ】
2018526183.tif 000016
【図８ａ】
2018526183.tif 000017
【図８ｂ】
2018526183.tif 000018
【図８ｃ】
2018526183.tif 000019
【図９ａ】
2018526183.tif 000020
【図９ｂ】
2018526183.tif 000021
【図９ｃ】
2018526183.tif 000022
【図１０ａ】
2018526183.tif 000023
【図１０ｂ】
2018526183.tif 000024
【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
−  チューブ状の部材（２０）と、
−  該チューブ状の部材（２０）の中に摺動可能に配置されたピストン（２２）と、
−  該ピストン（２２）に接続されたピストン・ロッド（２４）と、
−  前記ピストン・ロッド（２４）を、前記ポンプ（１８）を駆動するためのモーター（３８）に取り外し可能におよび機能的に接続するためのカップリング・メカニズム（３６）と、を備える、医療用アスピレーター（１０）用の真空ポンプ（１８）。
【請求項２】
前記モーター（３８）の回転運動を前記ピストン・ロッド（２４）の直線的な往復運動に変換するように構成されている駆動メカニズム（４０）をさらに備え、
前記カップリング・メカニズム（３６）は、前記駆動メカニズム（４０）の上に設けられている、請求項１に記載の真空ポンプ（１８）。
【請求項３】
前記ポンプ（１８）を密閉するために前記ピストン・ロッド（２４）に固定された膜（４８）をさらに備える、請求項１または２に記載の真空ポンプ（１８）。
【請求項４】
−  チューブ状の部材（２０）と、
−  該チューブ状の部材（２０）の中に摺動可能に配置されたピストン（２２）と、
−  該ピストン（２２）に接続されたピストン・ロッド（２４）と、
−  前記ポンプ（１８）を密閉するために前記ピストン・ロッド（２４）に固定された膜（４８）と、を備える、医療用アスピレーター（１０）用の真空ポンプ（１８）。
【請求項５】
前記ピストン・ロッド（２４）は、前記ポンプ（１８）の動作中に直線的に往復運動するように構成されている、請求項１から４のいずれか一項に記載の真空ポンプ（１８）。
【請求項６】
−  真空ポンプ（１８）を駆動するためのモーター（３８）と、
−  少なくとも２つのバッテリー（６０）であって、それぞれのバッテリー（６０）は、駆動電流を前記モーター（３８）に供給するように構成されている、バッテリー（６０）と、
−  それぞれのバッテリー（６０）に関連付けられたリレー（６２）と、を備え、
それぞれの前記リレー（６２）は、メイン電源（５８）から電荷を受け入れる許容状態と、前記メイン電源（５８）からの前記電荷を受け入れない非許容状態との間で動作するように構成されている、リレー（６２）と、を備える、医療用アスピレーター（１０）用のモーター・ユニット（１２）。
【請求項７】
前記バッテリー（６０）の前記リレー（６２）は、互いからガルバニックに分離されている、請求項６に記載のモーター・ユニット（１２）。
【請求項８】
前記モーター（３８）に駆動電流を交互に供給する前記少なくとも２つのバッテリー（６０）を制御するように構成された制御ユニット（５２）をさらに備える、請求項６または７に記載のモーター・ユニット（１２）。
【請求項９】
前記制御ユニット（５２）は、現在前記モーター（３８）に駆動電流を供給している前記バッテリー（６０）の前記リレー（６２）が前記非許容状態をとり、１つまたは複数の残りのバッテリー（６０）それぞれの前記リレー（６２）は前記許容状態をとるように前記リレー（６２）を交互に制御するように構成され、前記モーター（３８）が決して前記メイン電源（５８）に電気的に接続されないようになっている、請求項８に記載のモーター・ユニット（１２）。
【請求項１０】
請求項１から４のいずれか一項に記載の真空ポンプ（１８）、および／または、請求項６から９のいずれか一項に記載のモーター・ユニット（１２）を備える医療用アスピレーター（１０）。
【請求項１１】
−  第２のパーツに接続可能であるか、または、該第２のパーツと一緒に接合構造体を形成する、第１の使い捨てのパーツと、
−  前記第２のパーツとともに前記第１の使い捨てのパーツを使用している間に前記第２のパーツの周りに保護シールドを提供するように構成されると共に、前記使用が完了した後に、前記第１の使い捨てのパーツの周りに保護シールドを提供するために反転されるように構成されている、可撓性のエンクロージャー（６４）と、を備える、使い捨ての構成体。
【請求項１２】
前記可撓性のエンクロージャー（６４）は、プラスチック・バッグである、請求項１１に記載の使い捨ての構成体。
【請求項１３】
前記可撓性のエンクロージャー（６４）は、開条件において、前記可撓性のエンクロージャー（６４）が、前記第２のパーツを囲む状態から、前記第１の使い捨てのパーツを囲む状態へ反転可能な開閉可能な開口部（６６）を備え、
前記開閉可能な開口部（６６）は、閉条件において、それぞれ前記第２のパーツおよび前記第１の使い捨てのパーツの周りに、実質的に流体密封のシール部分を形成する、請求項１１または１２に記載の使い捨ての構成体。
【請求項１４】
前記開閉可能な開口部（６６）は、ジップ・ロックによって構成されている、請求項１３に記載の使い捨ての構成体。
【請求項１５】
−  前記第１の使い捨てのパーツは、医療用アスピレーター（１０）用の真空ポンプ（１８）を備えたポンプ・ユニット（１４）によって構成され、
−  前記第２のパーツは、前記医療用アスピレーター（１０）用のモーター（３８）を備えたモーター・ユニット（１２）によって構成され、前記真空ポンプ（１８）は、前記モーター（３８）によって駆動可能であり、
−  前記可撓性のエンクロージャー（６４）は、前記医療用アスピレーター（１０）の吸引動作中に前記モーター・ユニット（１２）の周りに細菌シールドを提供するように構成されると共に、前記医療用アスピレーター（１０）の前記吸引動作が完了した後に、前記ポンプ・ユニット（１４）の周りに細菌シールドを提供するために反転されるように構成されている、請求項１１から１４のいずれか一項に記載の使い捨ての構成体。
【請求項１６】
前記真空ポンプ（１８）は、膜（４８）を備え、
前記可撓性のエンクロージャー（６４）は、前記膜（４８）と一体的に形成されている、請求項１５に記載の使い捨ての構成体。
【請求項１７】
−  請求項１５または１６に記載の使い捨ての構成体と、
−  前記ポンプ・ユニット（１４）の前記真空ポンプ（１８）を駆動するためのモーター（３８）を備えるモーター・ユニット（１２）と、を備える、医療用アスピレーター（１０）。
【請求項１８】
前記ポンプ・ユニット（１４）は、前記モーター・ユニット（１２）に取り外し可能に接続可能である、請求項１７に記載の医療用アスピレーター（１０）。
【請求項１９】
−  少なくとも部分的に、紫外線光に対して透過性の材料によって構成されている、空気流をガイドするためのチャネル（２６）と、
−  前記チャネル（２６）の処理セクション（９２）中の前記空気流を紫外線光に露出させるように構成されている、前記チャネル（２６）に隣接配置された紫外線光源（５６）と、を備える、医療用アスピレーター（１０）の中の空気流などの、空気流中の感染性因子を非活性化させるための構成体（９０）。
【請求項２０】
前記処理セクション（９２）中の前記チャネル（２６）は、前記空気流を異なる方向に導くように構成された少なくとも２つのチャネル・セグメント（９４、９６）を備える、請求項１９に記載の構成体（９０）。
【請求項２１】
前記処理セクション（９２）中の前記チャネル（２６）は、渦巻き、コイル、またはらせんとして配置され、および／または、複数の実質的に平行なチャネル・セグメント（９４、９６）を備える、請求項１９または２０に記載の構成体（９０）。
【請求項２２】
請求項１９から２１のいずれか一項に記載の構成体（９０）を備える医療用アスピレーター（１０）。
【請求項２３】
医療用アスピレーター（１０）用の２ステージ式キャニスター（４２）であって、
該キャニスター（４２）は、
−  アスピレーション・ホース（４６）用の入口部（１０４）と、真空チャネル（２６）用の出口部（１０６）とを備えた第１の貯蔵部（１００）と、
−  第２の貯蔵部（１０２）と、
−  前記第１の貯蔵部（１００）の中に前記流体（１１２）を維持するように構成される閉位置から排出位置へと移動可能とし、ここで前記キャニスターの中の真空構築に有効な体積が低減されて、前記第１の貯蔵部（１００）中の流体（１１２）を前記第２の貯蔵部（１０２）に排出させるパーティション部材（９８）と、を備える、医療用アスピレーター（１０）用の２ステージ式キャニスター（４２）。
【請求項２４】
前記第１の貯蔵部（１００）および前記第２の貯蔵部（１０２）のいずれもが、前記パーティション部材（９８）が前記排出位置にある状態で、前記２ステージ式キャニスター（４２）の動作中に、低減された圧力に耐えるように構成されている、請求項２３に記載の２ステージ式キャニスター（４２）。
【請求項２５】
前記第２の貯蔵部（１０２）は可撓性である、請求項２３に記載の２ステージ式キャニスター（４２）。
【請求項２６】
前記パーティション部材（９８）は、前記排出位置から前記閉位置へ移動可能である、請求項２３から２５のいずれか一項に記載の２ステージ式キャニスター（４２）。
【請求項２７】
前記パーティション部材（９８）は、前記パーティション部材（９８）が前記閉位置にあるときに、前記第２の貯蔵部（１０２）に対して前記第１の貯蔵部（１００）を密閉する閉鎖ピストン（１１０）を備える、請求項２３から２６のいずれか一項に記載の２ステージ式キャニスター（４２）。
【請求項２８】
前記パーティション部材（９８）は、前記閉鎖ピストン（１１０）に取り付けられたピストン・ロッド（１０８）を備え、
該ピストン・ロッド（１０８）は、前記第１の貯蔵部（１００）の外部を通って延在している、請求項２７に記載の２ステージ式キャニスター（４２）。
【請求項２９】
前記パーティション部材（９８）は、前記閉位置から前記排出位置への前記パーティション部材（９８）の移動の間に、前記第１の貯蔵部（１００）の中の前記流体（１１２）を前記第２の貯蔵部（１０２）へと押すための押圧ピストン（１１８）を備える、請求項２７または２８に記載の２ステージ式キャニスター（４２）。
【請求項３０】
請求項２３から２９のいずれか一項に記載の２ステージ式キャニスター（４２）を備える医療用アスピレーター（１０）。
【請求項３１】
医療用アスピレータ（１０）であって、
該医療用アスピレータ（１０）は、
−  真空ポンプ（１８）と、
−  前記真空ポンプ（１８）を駆動するよう構成されたモーター（３８）と、
−  制御ユニット（５２）と、
−  患者から前記医療用アスピレーター（１０）のキャニスター（４２）の中へ流体を吸引するためのアスピレーション・ホース（４６）と、を備え、
該アスピレーション・ホース（４６）は、
−  上流セクション（１２４）と、
−  下流セクション（１２６）と、
−  開位置と遮断位置との間で切り替え可能なバルブ・メカニズム（１２０）と、を備え、
該バルブ・メカニズム（１２０）は、前記開位置では、前記吸引された流体を前記上流セクション（１２４）から前記下流セクション（１２６）に通過させるように構成され、前記遮断位置では、前記上流セクション（１２４）の中の前記吸引された流体が前記下流セクション（１２６）に進入することを阻止するように構成されている、バルブ・メカニズム（１２０）と、を備える、医療用アスピレータ（１０）。
【請求項３２】
前記制御ユニット（５２）は、真空ポンプ（１８）によって生成された真空に基づいて、前記モーター（３８）に供給される前記駆動電流を制御するよう構成されている、請求項３１に記載の医療用アスピレータ（１０）。
【請求項３３】
前記アスピレーション・ホース（４６）は、前記バルブ・メカニズム（１２０）を前記遮断位置へ付勢するように構成された付勢部材（１３８）をさらに備える、請求項３１または３２に記載の医療用アスピレータ（１０）。
【請求項３４】
前記アスピレーション・ホース（４６）は、前記バルブ・メカニズム（１２０）が前記遮断位置にあるときに、前記上流セクション（１２４）と大気との間を流体連通させるための空気入口部（１４６）をさらに備える、請求項３１から３３のいずれか一項に記載の医療用アスピレータ（１０）。
【請求項３５】
前記アスピレーション・ホース（４６）は、前記バルブ・メカニズム（１２０）が前記開位置にあるときに、前記上流セクション（１２４）と前記大気との間の流体連通が閉じられるように構成されている、請求項３４に記載の医療用アスピレータ（１０）。
【請求項３６】
請求項３１から３５のいずれか一項に記載のアスピレーション・ホース（４６）を備えるキャニスター（４２）をさらに備える医療用アスピレータ（１０）。
【国際調査報告】
2018526183.tif 000025
2018526183.tif 000026
2018526183.tif 000027
2018526183.tif 000028
2018526183.tif 000029
2018526183.tif 000030
2018526183.tif 000031